(57)【要約】【課題】噴霧竿が外力の作用を受けたときに折れないようにし、散布アセンブリの使用寿命を延ばす。【解決手段】散布アセンブリが、噴霧竿、ノズルアセンブリ、及び接続ベースを有し、前記ノズルアセンブリは、前記噴霧竿の一端に接続され、前記接続ベースは、前記噴霧竿の他端に接続され、しかも前記噴霧竿を農業植物保護機のフレームに固定するためのものであり、ここで、前記接続ベースは、フレキシブル接続ベースであり、これにより前記噴霧竿が、外力の作用を受けたときに前記フレームに対して揺動できるようになる。【選択図】図１
2021506290.tif 000002
【特許請求の範囲】
【請求項１】
散布アセンブリであって、
噴霧竿、ノズルアセンブリ、及び接続ベースを有し、
前記ノズルアセンブリは、前記噴霧竿の一端に接続され、
前記接続ベースは、前記噴霧竿の他端に接続され、しかも前記噴霧竿を農業植物保護機のフレームに固定するためのものであり、
前記接続ベースは、フレキシブル接続ベースであり、これにより前記噴霧竿が、外力の作用を受けたときに前記フレームに対して揺動できるようになること、
を特徴とする、散布アセンブリ。
【請求項２】
前記接続ベースは、ベース本体、及び前記ベース本体から延在する接続部を有し、
前記接続ベースは、前記接続部により前記噴霧竿に固定されること、
を特徴とする、請求項１に記載の散布アセンブリ。
【請求項３】
前記接続部にはロック係合孔が設けられ、前記噴霧竿には接続孔が設けられ、
前記接続部が前記噴霧竿内に取り付けられるとき、前記ロック係合孔は、前記接続孔に対応することで、接続部品により係合してロックされること、
を特徴とする、請求項２に記載の散布アセンブリ。
【請求項４】
前記接続部には弾性ピンが設けられ、前記噴霧竿には接続孔が設けられ、
前記接続部が前記噴霧竿に取り付けられるとき、前記弾性ピンは、前記接続部に縮んで入り、前記弾性ピンが前記接続孔に対応するとき、前記弾性ピンは、弾性力の作用で前記接続孔から突出して伸び出して、前記接続ベースを前記噴霧竿にロックすること、
を特徴とする、請求項２に記載の散布アセンブリ。
【請求項５】
前記接続部には接続孔が設けられ、前記噴霧竿には弾性ピンが設けられ、
前記接続部が前記噴霧竿に取り付けられるとき、前記弾性ピンは、前記噴霧竿に縮んで入り、前記弾性ピンが前記接続孔に対応するとき、前記弾性ピンは、弾性力の作用で前記接続孔から突出して伸び出して、前記接続ベースを前記噴霧竿にロックすること、
を特徴とする、請求項２に記載の散布アセンブリ。
【請求項６】
前記噴霧竿には前記接続部に係合して包むための複数の弾性ロックプレート、
前記弾性ロックプレートを取り囲むロックリング、及び、
前記ロックリングを締め付け、又は解放するためのボルトを有すること、
を特徴とする、請求項２に記載の散布アセンブリ。
【請求項７】
前記接続部は、
前記噴霧竿に係合して包むための複数の弾性ロックプレート、
前記弾性ロックプレートを取り囲むロックリング、及び、
前記ロックリングを締め付け、又は解放するためのボルトを有すること、
を特徴とする、請求項２に記載の散布アセンブリ。
【請求項８】
前記接続部は、接着層により前記噴霧竿に固定されること、
を特徴とする、請求項２に記載の散布アセンブリ。
【請求項９】
前記ベース本体には取り付け孔が設けられ、前記接続ベースは、接続部品が前記取り付け孔に係合することで、前記接続ベースを前記フレームに固定することを特徴とする、請求項２に記載の散布アセンブリ。
【請求項１０】
前記ベース本体は、接着層により前記フレームに固定されることを特徴とする、請求項２に記載の散布アセンブリ。
【請求項１１】
前記散布アセンブリは、前記接続ベースにより前記農業植物保護機のアーム下方に固定されることを特徴とする、請求項１に記載の散布アセンブリ。
【請求項１２】
前記接続ベースは、ＮＢＲ、ＥＰＤＭ、ＦＰＭのうちの１種又は複数種の組み合わせから製造されることを特徴とする、請求項１に記載の散布アセンブリ。
【請求項１３】
前記噴霧竿には取水口、及び前記取水口箇所に設けられた装着部が設けられ、前記装着部は、前記農業植物保護機のタンクに連通する接続ホースを取り付けるためのものであることを特徴とする、請求項１に記載の散布アセンブリ。
【請求項１４】
前記噴霧竿内には前記取水口と前記ノズルアセンブリとの間に連通される水流通路が設けられることを特徴とする、請求項１３に記載の散布アセンブリ。
【請求項１５】
前記ノズルアセンブリは、ノズル本体、ノズル本体に設けられたノズル、及び前記ノズル本体に装着された減圧調節部品を有し、前記減圧調節部品は、前記ノズルの噴水量を調節するためのものであることを特徴とする、請求項１に記載の散布アセンブリ。
【請求項１６】
前記ノズル本体には係合部品、前記係合部品を取り囲むロックリング、及び前記ロックリングに係合するボルトが設けられ、
前記噴霧竿には前記係合部品に係合して包むための少なくとも二つの弾性ロックプレートが設けられ、
前記弾性ロックプレートが前記係合部品と前記ロックリングとの間に取り付けられるとき、ボルトを締め付けることにより、前記ノズル本体を前記噴霧竿に固定し、又は、前記ボルトを解放することにより、前記ノズル本体を前記噴霧竿から取り外すこと、
を特徴とする、請求項１５に記載の散布アセンブリ。
【請求項１７】
散布アセンブリであって、
噴霧竿、ノズルアセンブリ、及び接続ベースを有し、
前記ノズルアセンブリは、前記噴霧竿の一端に接続され、
前記接続ベースは、前記噴霧竿の他端に接続され、しかも前記噴霧竿を農業植物保護機のフレームに固定するためのものであり、
前記噴霧竿は、第１竿本体、第２竿本体、及び第１竿本体と第２竿本体とを接続するフレキシブル接続部を有し、
前記第２竿本体は、前記ノズルアセンブリを接続し、
前記フレキシブル接続部により、前記第２竿本体が、外力の作用を受けたときに前記第１竿本体に対して揺動できるようになること、
を特徴とする、散布アセンブリ。
【請求項１８】
前記フレキシブル接続部にはロック係合孔が設けられ、
前記第１竿本体及び前記第２竿本体には接続孔がそれぞれ設けられ、
前記フレキシブル接続部が前記第１竿本体及び前記第２竿本体に取り付けられるとき、前記ロック係合孔は、前記接続孔に対応することで、接続部品により係合してロックされること、
を特徴とする、請求項１７に記載の散布アセンブリ。
【請求項１９】
前記フレキシブル接続部の両端には弾性ピンがそれぞれ設けられ、前記第１竿本体及び前記第２竿本体には接続孔がそれぞれ設けられ、
前記フレキシブル接続部が、前記第１竿本体及び前記第２竿本体に取り付けられるとき、前記弾性ピンは、前記フレキシブル接続部に縮んで入り、前記弾性ピンが前記接続孔に対応するとき、前記弾性ピンは、弾性力の作用で前記接続孔から突出して伸び出して、前記フレキシブル接続部を前記第１竿本体及び前記第２竿本体にロックすること、
を特徴とする、請求項１７に記載の散布アセンブリ。
【請求項２０】
前記フレキシブル接続部の両端には接続孔がそれぞれ設けられ、前記第１竿本体及び前記第２竿本体には弾性ピンがそれぞれ設けられ、
前記フレキシブル接続部が前記第１竿本体及び前記第２竿本体に取り付けられるとき、前記第１竿本体の弾性ピンは、前記第１竿本体に縮んで入り、前記第２竿本体の弾性ピンは、前記第２竿本体に縮んで入り、前記弾性ピンが、前記接続孔に対応するとき、前記弾性ピンは、弾性力の作用で前記接続孔から突出して伸び出して、前記フレキシブル接続部を前記第１竿本体及び前記第２竿本体にそれぞれロックすること、
を特徴とする、請求項１７に記載の散布アセンブリ。
【請求項２１】
前記第１竿本体及び前記第２竿本体には、前記フレキシブル接続部に係合して包むための複数の弾性ロックプレート、前記弾性ロックプレートを取り囲むロックリング、及び前記ロックリングを締め付け、又は解放するためのボルトをそれぞれ有することを特徴とする、請求項１７に記載の散布アセンブリ。
【請求項２２】
前記フレキシブル接続部は、接着層により前記第１竿本体及び前記第２竿本体にそれぞれ固定されることを特徴とする、請求項１７に記載の散布アセンブリ。
【請求項２３】
前記接続ベースには取り付け孔が設けられ、前記接続ベースは、接続部品が前記取り付け孔に係合することで、前記接続ベースを前記フレームに固定することを特徴とする、請求項１７に記載の散布アセンブリ。
【請求項２４】
前記接続ベースは、接着層により前記フレームに固定されることを特徴とする、請求項１７に記載の散布アセンブリ。
【請求項２５】
前記散布アセンブリは、前記接続ベースにより前記農業植物保護機のアーム下方に固定されることを特徴とする、請求項１７に記載の散布アセンブリ。
【請求項２６】
前記フレキシブル接続部は、ＮＢＲ、ＥＰＤＭ、ＦＰＭのうちの１種又は複数種の組み合わせから製造されることを特徴とする、請求項１７に記載の散布アセンブリ。
【請求項２７】
前記噴霧竿には取水口、及び前記取水口箇所に設けられた装着部が設けられ、前記装着部は、前記農業植物保護機のタンクに連通する接続ホースを取り付けるためのものであることを特徴とする、請求項１７に記載の散布アセンブリ。
【請求項２８】
前記噴霧竿内には前記取水口と前記ノズルアセンブリとの間に連通される水流通路が設けられることを特徴とする、請求項２７に記載の散布アセンブリ。
【請求項２９】
前記ノズルアセンブリは、ノズル本体、ノズル本体に設けられたノズル、及び前記ノズル本体に装着された減圧調節部品を有し、前記減圧調節部品は、前記ノズルの噴水量を調節するためのものであることを特徴とする、請求項１７に記載の散布アセンブリ。
【請求項３０】
前記ノズル本体には係合部品、前記係合部品を取り囲むロックリング、及び前記ロックリングに係合するボルトが設けられ、
前記噴霧竿には前記係合部品に係合して包むための少なくとも二つの弾性ロックプレートが設けられ、
前記弾性ロックプレートが前記係合部品と前記ロックリングとの間に取り付けられるとき、ボルトを締め付けることにより、前記ノズル本体を前記噴霧竿に固定し、又は、前記ボルトを解放することにより、前記ノズル本体を前記噴霧竿から取り外すこと、
を特徴とする、請求項２９に記載の散布アセンブリ。
【請求項３１】
農業植物保護機であって、
フレーム、及びフレームに装着された散布アセンブリを有し、
前記散布アセンブリは、噴霧竿、ノズルアセンブリ、及び接続ベースを有し、
前記ノズルアセンブリは、前記噴霧竿の一端に接続され、
前記接続ベースは、前記噴霧竿の他端に接続され、しかも前記噴霧竿を前記フレームに固定するためのものであり、
前記接続ベースは、フレキシブル接続ベースであり、これにより前記噴霧竿が、外力の作用を受けたときに前記フレームに対して揺動できるようになること、
を特徴とする、農業植物保護機。
【請求項３２】
前記接続ベースは、ベース本体、及び前記ベース本体から延在する接続部を有し、前記接続ベースは、前記接続部により前記噴霧竿に固定されることを特徴とする、請求項３１に記載の農業植物保護機。
【請求項３３】
前記接続部にはロック係合孔が設けられ、前記噴霧竿には接続孔が設けられ、
前記接続部が前記噴霧竿内に取り付けられるとき、前記ロック係合孔は、前記接続孔に対応することで、接続部品により係合してロックされることを特徴とする、請求項３２に記載の農業植物保護機。
【請求項３４】
前記接続部には弾性ピンが設けられ、前記噴霧竿には接続孔が設けられ、
前記接続部が前記噴霧竿に取り付けられるとき、前記弾性ピンは、前記接続部に縮んで入り、前記弾性ピンが前記接続孔に対応するとき、前記弾性ピンは、弾性力の作用で前記接続孔から突出して伸び出して、前記接続ベースを前記噴霧竿にロックすることを特徴とする、請求項３２に記載の農業植物保護機。
【請求項３５】
前記接続部には接続孔が設けられ、前記噴霧竿には弾性ピンが設けられ、
前記接続部が前記噴霧竿に取り付けられるとき、前記弾性ピンは、前記噴霧竿に縮んで入り、前記弾性ピンが前記接続孔に対応するとき、前記弾性ピンは、弾性力の作用で前記接続孔から突出して伸び出して、前記接続ベースを前記噴霧竿にロックすることを特徴とする、請求項３２に記載の農業植物保護機。
【請求項３６】
前記噴霧竿は、前記接続部に係合して包むための複数の弾性ロックプレート、前記弾性ロックプレートを取り囲むロックリング、及び前記ロックリングを締め付け、又は解放するためのボルトを有することを特徴とする、請求項３２に記載の農業植物保護機。
【請求項３７】
前記接続部は、前記噴霧竿に係合して包むための複数の弾性ロックプレート、前記弾性ロックプレートを取り囲むロックリング、及び前記ロックリングを締め付け、又は解放するためのボルトを有することを特徴とする、請求項３２に記載の農業植物保護機。
【請求項３８】
前記接続部は、接着層により前記噴霧竿に固定されることを特徴とする、請求項３２に記載の農業植物保護機。
【請求項３９】
前記ベース本体には取り付け孔が設けられ、前記接続ベースは、接続部品が前記取り付け孔に係合することで、前記接続ベースを前記フレームに固定することを特徴とする、請求項３２に記載の農業植物保護機。
【請求項４０】
前記ベース本体は、接着層により前記フレームに固定されることを特徴とする、請求項３２に記載の農業植物保護機。
【請求項４１】
前記フレームは、本体、及び前記本体に接続される複数のアームを有し、前記散布アセンブリは、アーム下方に装着されることを特徴とする、請求項３１に記載の農業植物保護機。
【請求項４２】
前記接続ベースは、ＮＢＲ、ＥＰＤＭ、ＦＰＭのうちの１種又は複数種の組み合わせから製造されることを特徴とする、請求項３１に記載の農業植物保護機。
【請求項４３】
前記噴霧竿には取水口、及び前記取水口箇所に設けられた装着部が設けられ、前記装着部は、前記農業植物保護機のタンクに連通する接続ホースを取り付けるためのものであることを特徴とする、請求項３１に記載の農業植物保護機。
【請求項４４】
前記噴霧竿内には前記取水口と前記ノズルアセンブリとの間に連通される水流通路が設けられることを特徴とする、請求項４３に記載の農業植物保護機。
【請求項４５】
前記ノズルアセンブリは、ノズル本体、ノズル本体に設けられたノズル、及び前記ノズル本体に装着された減圧調節部品を有し、前記減圧調節部品は、前記ノズルの噴水量を調節するためのものであることを特徴とする、請求項３１に記載の農業植物保護機。
【請求項４６】
前記ノズル本体には係合部品、前記係合部品を取り囲むロックリング、及び前記ロックリングに係合するボルトが設けられ、
前記噴霧竿には前記係合部品に係合して包むための少なくとも二つの弾性ロックプレートが設けられ、
前記弾性ロックプレートが前記係合部品と前記ロックリングとの間に取り付けられるとき、ボルトを締め付けることにより、前記ノズル本体を前記噴霧竿に固定し、又は、前記ボルトを解放することにより、前記ノズル本体を前記噴霧竿から取り外すことを特徴とする、請求項４５に記載の農業植物保護機。
【請求項４７】
農業植物保護機であって、
フレーム、及び前記フレームに装着された散布アセンブリを有し、
前記散布アセンブリは、噴霧竿、ノズルアセンブリ、及び接続ベースを有し、
前記ノズルアセンブリは、前記噴霧竿の一端に接続され、前記接続ベースは、前記噴霧竿の他端に接続され、しかも前記噴霧竿を前記フレームに固定するためのものであり、
前記噴霧竿は、第１竿本体、第２竿本体、及び第１竿本体と第２竿本体とを接続するフレキシブル接続部を有し、前記第２竿本体は、前記ノズルアセンブリを接続し、前記フレキシブル接続部により、前記第２竿本体が、外力の作用を受けたときに前記第１竿本体に対して揺動できるようになることを特徴とする、農業植物保護機。
【請求項４８】
前記フレキシブル接続部にはロック係合孔が設けられ、前記第１竿本体及び前記第２竿本体には接続孔がそれぞれ設けられ、
ここで、前記フレキシブル接続部が前記第１竿本体及び前記第２竿本体に取り付けられるとき、前記ロック係合孔は、前記接続孔に対応することで、接続部品により係合してロックされることを特徴とする、請求項４７に記載の農業植物保護機。
【請求項４９】
前記フレキシブル接続部の両端には弾性ピンがそれぞれ設けられ、前記第１竿本体及び前記第２竿本体には接続孔がそれぞれ設けられ、
前記フレキシブル接続部が、前記第１竿本体及び前記第２竿本体に取り付けられるとき、前記弾性ピンは、前記フレキシブル接続部に縮んで入り、前記弾性ピンが前記接続孔に対応するとき、前記弾性ピンは、弾性力の作用で前記接続孔から突出して伸び出して、前記フレキシブル接続部を前記第１竿本体及び前記第２竿本体にロックすることを特徴とする、請求項４７に記載の農業植物保護機。
【請求項５０】
前記フレキシブル接続部の両端には接続孔がそれぞれ設けられ、前記第１竿本体及び前記第２竿本体には弾性ピンがそれぞれ設けられ、
前記フレキシブル接続部が前記第１竿本体及び前記第２竿本体に取り付けられるとき、前記第１竿本体の弾性ピンは、前記第１竿本体に縮んで入り、前記第２竿本体の弾性ピンは、前記第２竿本体に縮んで入り、前記弾性ピンが、前記接続孔に対応するとき、前記弾性ピンは、弾性力の作用で前記接続孔から突出して伸び出して、前記フレキシブル接続部を前記第１竿本体及び前記第２竿本体にそれぞれロックすることを特徴とする、請求項４７に記載の農業植物保護機。
【請求項５１】
前記噴霧竿には、前記フレキシブル接続部に係合して包むための少なくとも二つの弾性ロックプレート、前記弾性ロックプレートを取り囲むロックリング、及び前記ロックリングを締め付け、又は解放するためのボルトが設けられることを特徴とする、請求項４７に記載の農業植物保護機。
【請求項５２】
前記フレキシブル接続部は、接着層により前記第１竿本体及び前記第２竿本体にそれぞれ固定されることを特徴とする、請求項４７に記載の農業植物保護機。
【請求項５３】
前記接続ベースには取り付け孔が設けられ、前記接続ベースは、接続部品が前記取り付け孔に係合することで、前記接続ベースを前記フレームに固定することを特徴とする、請求項４７に記載の農業植物保護機。
【請求項５４】
前記接続ベースは、接着層により前記フレームに固定されることを特徴とする、請求項４７に記載の農業植物保護機。
【請求項５５】
前記フレームは、本体、及び前記本体に接続される複数のアームを有し、前記散布アセンブリは、アーム下方に装着されることを特徴とする、請求項４７に記載の農業植物保護機。
【請求項５６】
前記フレキシブル接続部は、ＮＢＲ、ＥＰＤＭ、ＦＰＭのうちの１種又は複数種の組み合わせから製造されることを特徴とする、請求項４７に記載の農業植物保護機。
【請求項５７】
前記噴霧竿には取水口、及び前記取水口箇所に設けられた装着部が設けられ、前記装着部は、前記農業植物保護機のタンクに連通する接続ホースを取り付けるためのものであることを特徴とする、請求項４７に記載の農業植物保護機。
【請求項５８】
前記噴霧竿内には前記取水口と前記ノズルアセンブリとの間に連通される水流通路が設けられることを特徴とする、請求項５７に記載の農業植物保護機。
【請求項５９】
前記ノズルアセンブリは、ノズル本体、ノズル本体に設けられたノズル、及び前記ノズル本体に装着された減圧調節部品を有し、前記減圧調節部品は、前記ノズルの噴水量を調節するためのものであることを特徴とする、請求項４７に記載の農業植物保護機。
【請求項６０】
前記ノズル本体には係合部品、前記係合部品を取り囲むロックリング、及び前記ロックリングに係合するボルトが設けられ、
前記噴霧竿には前記係合部品に係合して包むための少なくとも二つの弾性ロックプレートが設けられ、
前記弾性ロックプレートが前記係合部品と前記ロックリングとの間に取り付けられるとき、ボルトを締め付けることにより、前記ノズル本体を前記噴霧竿に固定し、又は、前記ボルトを解放することにより、前記ノズル本体を前記噴霧竿から取り外すことを特徴とする、請求項５９に記載の農業植物保護機。
【発明の詳細な説明】
【技術分野】
【０００１】
本発明は、植物保護の散布システムの技術分野に関し、特に、散布アセンブリ、及び農業植物保護機に関する。
【背景技術】
【０００２】
関連技術において、散布システムは、農業生産、植物保護などの分野の農薬、化学肥料、水などの液体の散布に用いられる。農業植物保護機に装着された散布アセンブリは、液体を作物の表面に散布するためのものであり、これにより労働力を解放し、作業効率を高めることができる。
【発明の概要】
【発明が解決しようとする課題】
【０００３】
既存の農業植物保護機の散布アセンブリの噴霧竿は、農業植物保護機のフレームにしっかりと接続されており、噴霧竿は通常、農業植物保護機の本体よりも長く伸びているので、噴霧竿は、搬送及び衝突過程で非常に折れやすくなってしまう。
【課題を解決するための手段】
【０００４】
本発明は、上述の技術的課題を解決するために、相対的に揺動可能な散布アセンブリ、及び農業植物保護機を提供する。
【０００５】
本発明の実施例の第１の態様によれば、散布アセンブリであって、噴霧竿、ノズルアセンブリ、及び接続ベースを有し、前記ノズルアセンブリは、前記噴霧竿の一端に接続され、前記接続ベースは、前記噴霧竿の他端に接続され、しかも前記噴霧竿を農業植物保護機のフレームに固定するためのものである、散布アセンブリを提供する。
【０００６】
ここで、前記接続ベースは、フレキシブル接続ベースであり、これにより前記噴霧竿が、外力の作用を受けたときに前記フレームに対して揺動できるようになる。
【０００７】
本発明の実施例の第２の態様によれば、散布アセンブリであって、噴霧竿、ノズルアセンブリ、及び接続ベースを有し、前記ノズルアセンブリは、前記噴霧竿の一端に接続され、前記接続ベースは、前記噴霧竿の他端に接続され、しかも前記噴霧竿を農業植物保護機のフレームに固定するためのものである、散布アセンブリを提供する。
【０００８】
ここで、前記噴霧竿は、第１竿本体、第２竿本体、及び第１竿本体と第２竿本体とを接続するフレキシブル接続部を有し、前記第２竿本体は、前記ノズルアセンブリを接続し、前記フレキシブル接続部により、前記第２竿本体が、外力の作用を受けたときに前記第１竿本体に対して揺動できるようになる。
【０００９】
本発明の実施例の第３の態様によれば、農業植物保護機であって、フレーム、及びフレームに装着された散布アセンブリを有し、前記散布アセンブリは、噴霧竿、ノズルアセンブリ、及び接続ベースを有し、前記ノズルアセンブリは、前記噴霧竿の一端に接続され、前記接続ベースは、前記噴霧竿の他端に接続され、しかも前記噴霧竿を前記フレームに固定するためのものである、農業植物保護機を提供する。
【００１０】
ここで、前記接続ベースは、フレキシブル接続ベースであり、これにより前記噴霧竿が、外力の作用を受けたときに前記フレームに対して揺動できるようになる。
【００１１】
本発明の実施例の第４の態様によれば、農業植物保護機であって、フレーム、及び前記フレームに装着された散布アセンブリを有し、前記散布アセンブリは、噴霧竿、ノズルアセンブリ、及び接続ベースを有し、前記ノズルアセンブリは、前記噴霧竿の一端に接続され、前記接続ベースは、前記噴霧竿の他端に接続され、しかも前記噴霧竿をフレームに固定するためのものである、農業植物保護機を提供する。
【００１２】
ここで、前記噴霧竿は、第１竿本体、第２竿本体、及び第１竿本体と第２竿本体とを接続するフレキシブル接続部を有し、前記第２竿本体は、前記ノズルアセンブリを接続し、前記フレキシブル接続部により、前記第２竿本体が、外力の作用を受けたときに前記第１竿本体に対して揺動できるようになる。
【００１３】
本発明は、新型構造の散布アセンブリ、及びそれを有する農業植物保護機を設計し、噴霧竿とフレームに接続される接続ベースは、フレキシブル接続ベースを選択することで、散布アセンブリが一定のしなやかさを持つようになり、噴霧竿が、外力の作用を受けたときにフレームに対して揺動して折れないようにでき、この散布アセンブリの使用寿命を延ばすことができる。
【００１４】
本発明はさらに、新型構造の散布アセンブリ、及びそれを有する農業植物保護機を設計し、フレームに接続される噴霧竿を第１竿本体、第２竿本体、及び第１竿本体と第２竿本体との間を接続するフレキシブル接続部に分け、これにより噴霧竿全体が一定のしなやかさを持つようになり、噴霧竿が、外力の作用を受けたときに第２竿本体を第１竿本体に対して揺動させて折れないようにでき、この散布アセンブリの使用寿命を延ばすことができる。
【００１５】
本出願の実施例における技術的解決手段をさらに明確に説明するために、次に実施例の説明に使用されることが必要な図面を簡単に説明する。以下の説明における図面は、本出願のいくつかの実施例であるに過ぎず、当業者にとって、創造的な作業をしない前提で、これらの図面に基づいて、その他の図面をさらに得られることは自明である。
【図面の簡単な説明】
【００１６】
【図１】本発明の例示的な実施例により示される散布アセンブリの構造概略図である。
【図２】本発明の例示的な実施例により示される散布アセンブリの分解概略図である。
【図３】本発明の例示的な実施例により示される散布アセンブリの接続ベースの構造概略図である。
【図４】本発明の例示的な実施例により示される接続ベースと噴霧竿との組立概略図である。
【図５】本発明の他の例示的な実施例により示される接続ベースと噴霧竿との組立概略図である。
【図６】本発明の他の例示的な実施例により示される接続ベースと噴霧竿との組立概略図である。
【図７】本発明の他の例示的な実施例により示される接続ベースと噴霧竿との組立概略図である。
【図８】本発明の例示的な実施例により示される噴霧竿とノズルアセンブリとの組立概略図である。
【図９】本発明の他の例示的な実施例により示される散布アセンブリの構造概略図である。
【図１０】本発明の例示的な実施例により示される農業植物保護機の構造概略図である。
【発明を実施するための形態】
【００１７】
以下に本出願の実施例における図面を踏まえ、本出願の実施例における技術的解決手段に明確で、完全な説明を行う。説明される実施例は、本出願の一部の実施例であるに過ぎず、すべての実施例でないことは明らかである。本出願の実施例に基づいて、当業者により創造的な作業をしない前提で得られたすべてのその他の実施例はいずれも、本出願の保護する範囲に属する。
【００１８】
ここで例示的実施例を詳細に説明するが、その例示は、図面に表示される。以下の説明が図面に及ぶとき、他の表示がなければ、異なる図面における同一の数字は、同一又は類似の要素を示す。以下の例示的な実施例において説明される実施形態は、本発明に一致するすべての実施形態を表すわけではない。逆に、それらは、添付の特許請求の範囲に説明される、本発明のいくつかの態様に一致する装置及び方法の例に過ぎない。
【００１９】
本発明で使用される用語は、特定の実施例を説明することを目的としているに過ぎず、本発明を限定する意図はない。本発明及び添付の特許請求の範囲に使用される単数形の「１つ」、「前記」及び「この」も、上下の文においてその他の意味を明確に示している場合を除き、複数形を含むことを意図している。本文に使用される用語「少なくともひとつ」は、一つ又は複数の関連する列記項目のあらゆる可能な組み合わせを含むことを意図することをさらに理解すべきである。
【００２０】
以下に図面を踏まえ、本発明の散布アセンブリ、及び農業植物保護機を詳細に説明する。矛盾がなければ、以下に記載される実施例及び実施形態における特徴は、互いに組み合わせることができる。
【００２１】
図１及び図２に示すように、本発明の実施例の散布アセンブリ１０は、噴霧竿１、ノズルアセンブリ２、及び接続ベース３を有する。このノズルアセンブリ２は、前記噴霧竿１の一端に接続され、前記接続ベース３は、前記噴霧竿１の他端に接続され、しかも前記噴霧竿１を農業植物保護機のフレームに固定するためのものであり、農業植物保護機は、この噴霧竿１により農薬、化学肥料、水などの液体を散布する。
【００２２】
ここで、本発明の接続ベース３は、フレキシブル接続ベース３であり、これにより前記噴霧竿１が、外力の作用を受けたときに前記フレームに対して揺動できるようになる。具体的には、噴霧竿１は、外力の作用を受けたとき、このフレキシブル接続ベース３を基準点として一定幅揺動し、又は折れ曲がることができ、このようにして、農業植物保護機が搬送中に散布アセンブリ１０に衝突したときに噴霧竿１が折れないようになる。
【００２３】
ここで、この接続ベース３は、ゴム材料から製造される。具体的には、この接続ベース３は、ＮＢＲ（Ｎｉｔｒｉｌｅ  Ｂｕｔａｄｉｅｎｅ  Ｒｕｂｂｅｒ、ニトリルゴム）、ＥＰＤＭ（Ｅｔｈｙｌｅｎｅ  Ｐｒｏｐｙｌｅｎｅ  Ｄｉｅｎｅ  Ｍｏｎｏｍｅｒ、エチレンプロピレンゴム）、ＦＰＭ（Ｆｌｕｏｒｏｒｕｂｂｅｒ、フッ素ゴム）のうちの一種又は複数種の組み合わせから製造される。当然のことながら、本発明の接続ベース３は、この上述のゴム材料に限定されるわけではなく、柔軟性、弾性がある材料はいずれも、本発明の接続ベース３に適用できる。
【００２４】
図１及び図１０に示すように、本発明の実施例において、この散布アセンブリ１０は、接続ベース３により農業植物保護機１００のアーム１０２下方に固定される。アーム１０２には動力装置１０３、及び動力装置１０３に取り付けられた回転翼１０４が取り付けられ、動力装置１０３が回転翼１０４の回転を駆動するとき、この回転翼１０４は、下方向の気流を形成し、この気流は、ノズルアセンブリ２から噴出される霧水を農作物へ散布することを補助でき、風向きの影響を減らすことができる。
【００２５】
図３に示すように、この接続ベース３は、ベース本体３１、及び前記ベース本体３１から延在する接続部３２を有する。選択可能な実施例において、このベース本体３１には取り付け孔３１１が設けられ、前記接続ベース３は、接続部品が前記取り付け孔３１１に係合することで、前記接続ベース３を前記フレームに固定する。具体的には、この接続部品は、ねじ又はリベットであってよく、このようにして接続ベース３は、農業植物保護機のフレームに取り外し可能に取り付けられ、この農業植物保護機の取り外し、搬送が行いやすくなる。他の実施例において、このベース本体３１はさらに、接着層により前記フレームに固定され、又はこの接続ベース３は、アームと一体に成形されて製造されることができる。
【００２６】
本発明の接続ベース３は、前記接続部３２により前記噴霧竿１に固定され、具体的な固定接続方法は、以下の複数の実施例を含む。
【実施例】
【００２７】
実施例１
図２に示すように、この接続部３２にはロック係合孔３２１が設けられ、前記噴霧竿１には接続孔１１が設けられる。ここで、前記接続部３２が前記噴霧竿１内に取り付けられるとき、前記ロック係合孔３２１は、前記接続孔１１に対応することで、接続部品により係合してロックされる。本実施例において、接続部３２は、この噴霧竿１内に挿入して置かれ、この接続部３２のサイズを設定することにより、接続ベース３が噴霧竿１内のサイズに取り付けられるように制限し、この接続部３２が取り付け位置に到達した後、ロック係合孔３２１を接続孔１１にちょうど対応させることができ、対応していない場合、噴霧竿１を回転することにより、ロック係合孔３２１を接続孔１１に対応させることができ、その後、接続部品により、この接続部３２を噴霧竿１に固定し、この接続部品は、ねじ又はインサートピンなどであってよい。その他の実施例において、噴霧竿１を接続部３２内に挿入して置いてもよい。
【００２８】
実施例２
図４に示すように、この接続部３２には弾性ピン３２１が設けられ、この弾性ピン３２１は、外力の作用で接続部３２内に圧縮されることができ、外力がなくなった後、弾性力の作用で接続部３２から弾き出されることができる。対応して、噴霧竿１には接続孔１１が設けられる。ここで、前記接続部３２が前記噴霧竿１に取り付けられるとき、外力の作用で（この弾性ピン３２１を押圧し、又は弾性ピン３２１が噴霧竿１の内壁に当接することを含む）、前記弾性ピン３２１は、前記接続部３２に縮んで入り、前記弾性ピン３２１が前記接続孔１１に対応するとき、前記弾性ピン３２１は、弾性力の作用で前記接続孔１１から突出して伸び出して、前記接続ベース３を前記噴霧竿１にロックする。
【００２９】
実施例３
図５に示すように、接続部３２には接続孔３２１が設けられ、前記噴霧竿１には弾性ピン１１が設けられる。この実施例において、噴霧竿１が接続部３２に接続する部分は、接続部３２内に取り付けられる。ここで、前記接続部３２が前記噴霧竿１に取り付けられるとき、外力の作用で（この弾性ピン１１を押圧し、又は弾性ピン１１が接続部３２の内壁に当接することを含む）、前記弾性ピン１１は、前記噴霧竿１に縮んで入り、前記弾性ピン１１が前記接続孔３２１に対応するとき、前記弾性ピン１１は、弾性力の作用で前記接続孔３２１から突出して伸び出して、前記接続ベース３を前記噴霧竿１にロックする。
実施例４
【００３０】
図６に示すように、前記噴霧竿１には前記接続部３２に係合して包むための複数の弾性ロックプレート１２、前記弾性ロックプレート１２を取り囲むロックリング１３、及び前記ロックリング１３を締め付け、又は解放するためのボルト１４を有する。本実施例において、複数の弾性ロックプレート１２は、一つの円状に組み合わさって丸くなり、接続部３２は、この噴霧竿１の複数の弾性ロックプレート１２の間に取り付けられ、その後、ボルト１４を締め付けることにより、複数の弾性ロックプレート１２が接続部３２をクランプするようになり、これにより、接続ベース３と噴霧竿１との固定を実現する。
【００３１】
実施例５
図７に示すように、この接続部３２は、前記噴霧竿１に係合して包むための複数の弾性ロックプレート３２１、前記弾性ロックプレート３２１を取り囲むロックリング１３、及び前記ロックリング１３を締め付け、又は解放するためのボルト１４を有する。この実施例において、接続部３２は、複数の弾性ロックプレート３２１を有し、複数の弾性ロックプレート３２１は、一つの円状に組み合わさって丸くなり、噴霧竿１は、この接続部３２の複数の弾性ロックプレート３２１の間に取り付けられ、その後、ボルト１４を締め付けることにより、複数の弾性ロックプレート３２１が噴霧竿１をクランプするようになり、これにより、接続ベース３と噴霧竿１との固定を実現する。
【００３２】
実施例６
この接続部３２はさらに、接着層（すなわち、接着剤）により前記噴霧竿１に固定されることができる。又は、このフレキシブル接続ベース３は、噴霧竿１と作製されるとき、このフレキシブル接続ベース３をこの噴霧竿１と一体に成形して製造することができる。
【００３３】
当然のことながら、本発明における接続ベース３が噴霧竿１に固定される方法は、上述の実施例に限定されるわけではなく、接続ベース３を噴霧竿１に固定できる係合方法はいずれも、本発明に適用される。
【００３４】
さらに、図１、図２及び図１０に示すように、噴霧竿１には取水口（図示せず）、及び取水口箇所に設けられた装着部１６が設けられ、前記装着部１６は、前記農業植物保護機１００のタンク１０５に連通する接続ホース（図示せず）を取り付けるためのものである。本実施例において、この装着部１６は、取水口外周に設けられたねじリングであり、接続ホースには装着部１６に係合してねじ接続されるナットが設けられ、ナットと装着部１６との接続により、噴霧竿１が接続ホースを介してタンク１０５に接続されるようになる。これにより、タンク１０５内の水流を噴霧竿１へ向かわせる。当然のことながら、本発明の装着部１６は、ねじリングに限定されるわけではなく、接続ホースを噴霧竿１に取り付けることができる係合構造はいずれも、本発明の散布アセンブリ１０に適用される。
【００３５】
ここで、この噴霧竿１内には前記取水口と前記ノズルアセンブリ２との間に連通される水流通路（図示せず）が設けられ、この水流通路は、噴霧竿１内の水流をノズルアセンブリ２へ案内する。この噴霧竿１は、取水口からノズルアセンブリ２までの間に中空に設けられることで、水流通路を構成する。他の実施例において、中空に設けられた噴霧竿１内には管路が設けられることで、接続ホースとノズルアセンブリ２とを連通する。
【００３６】
図１及び図８に示すように、本発明のノズルアセンブリ２は、ノズル本体２１、ノズル本体２１に設けられたノズル２２、及び前記ノズル本体２１に装着された減圧調節部品２３を有する。ここで、この減圧調節部品２３は、前記ノズル２２の噴水量を調節するためのものであり、この減圧調節部品２３はさらに、このノズル２２を開閉するためのものである。
【００３７】
実施例において、このノズル本体には係合部品２１１、前記係合部品２１１を取り囲むロックリング２１２、及び前記ロックリング２１２に係合するボルト２１３が設けられる。この噴霧竿１には前記係合部品２１１に係合して包むための少なくとも二つの弾性ロックプレート１７が設けられる。ここで、前記弾性ロックプレート１７が前記係合部品２１１と前記ロックリング２１２との間に取り付けられるとき、ボルト２１３を締め付けることにより、前記ノズル本体２１を前記噴霧竿１に固定し、又は、前記ボルト２１３を解放することにより、前記ノズル本体２１を前記噴霧竿１から取り外す。当然のことながら、このノズルアセンブリ２が噴霧竿１に接続される方法は、これに限定されるわけではなく、上述の噴霧竿１が接続ベース３に接続される複数の実施例はいずれも、ノズルアセンブリ２と噴霧竿１との接続に応用されることができ、ここでは説明しない。
【００３８】
図１及び図１０に示すように、本発明の実施例の他の態様によれば、農業植物保護機１００をさらに提供し、この農業植物保護機１００は、フレーム１０１、及びフレーム１０１に装着された散布アセンブリ１０を有し、前記散布アセンブリ１０は、噴霧竿１、ノズルアセンブリ２、及び接続ベース３を有し、前記ノズルアセンブリ２は、前記噴霧竿１の一端に接続され、前記接続ベース３は、前記噴霧竿１の他端に接続され、しかも前記噴霧竿１を前記フレーム１０１に固定するためのものである。ここで、前記接続ベース３は、フレキシブル接続ベース３であり、これにより前記噴霧竿１が、外力の作用を受けたときに前記フレーム１０１に対して揺動できるようになる。この散布アセンブリ１０における各部品の間の係合の具体的な構造特徴は、上述の散布アセンブリ１０の各実施例を参照されたく、ここでは重複して説明しない。
【００３９】
本発明は、新型構造の散布アセンブリ、及びそれを有する農業植物保護機を設計し、噴霧竿とフレームに接続される接続ベースは、フレキシブル接続ベースを選択することで、散布アセンブリが一定のしなやかさを持つようになり、噴霧竿が、外力の作用を受けたときにフレームに対して揺動して折れないようにでき、この散布アセンブリの使用寿命を延ばすことができる。
【００４０】
図９に示すように、本発明の他の態様では、散布アセンブリ１０を提供し、この散布アセンブリ１０は、噴霧竿１、ノズルアセンブリ２、及び接続ベース３を有し、前記ノズルアセンブリ２は、前記噴霧竿１の一端に接続され、前記接続ベース３は、前記噴霧竿１の他端に接続され、しかも前記噴霧竿１を農業植物保護機のフレームに固定するためのものであり、農業植物保護機は、この噴霧竿１により農薬、化学肥料、水などの液体を散布する。
【００４１】
ここで、この噴霧竿１は、第１竿本体１１１、第２竿本体１１２、及び第１竿本体１１１と第２竿本体１１２とを接続するフレキシブル接続部１１３を有し、この第２竿本体１１２は、前記ノズルアセンブリ２を接続し、前記フレキシブル接続部１１３により、前記第２竿本体１１２が、外力の作用を受けたときに前記第１竿本体１１１に対して揺動できるようになる。具体的には、噴霧竿１は、外力の作用を受けたとき、このフレキシブル接続部１１３を基準点として一定幅揺動し、又は折れ曲がることができ、このようにして、農業植物保護機が搬送中に散布アセンブリ１０に衝突したときに噴霧竿１が折れないようになる。
【００４２】
ここで、このフレキシブル接続部１１３は、ゴム材料から製造される。具体的には、このフレキシブル接続部１１３は、ＮＢＲ（Ｎｉｔｒｉｌｅ  Ｂｕｔａｄｉｅｎｅ  Ｒｕｂｂｅｒ、ニトリルゴム）、ＥＰＤＭ（Ｅｔｈｙｌｅｎｅ  Ｐｒｏｐｙｌｅｎｅ  Ｄｉｅｎｅ  Ｍｏｎｏｍｅｒ、エチレンプロピレンゴム）、ＦＰＭ（Ｆｌｕｏｒｏｒｕｂｂｅｒ、フッ素ゴム）のうちの一種又は複数種の組み合わせから製造される。当然のことながら、本発明のフレキシブル接続部１１３は、この上述のゴム材料に限定されるわけではなく、柔軟性、弾性がある材料はいずれも、本発明のフレキシブル接続部１１３に適用できる。
【００４３】
本発明の実施例において、この散布アセンブリ１０は、接続ベース３により農業植物保護機のアーム下方に固定される。アームには動力装置、及び動力装置に取り付けられた回転翼が取り付けられ、動力装置が回転翼の回転を駆動するとき、この回転翼は、下方向の気流を形成し、この気流は、ノズルアセンブリ２から噴出される霧水を農作物へ散布することを補助でき、風向きの影響を減らすことができる。
【００４４】
選択可能な実施例において、このベース本体には取り付け孔が設けられ、前記接続ベース３は、接続部品が前記取り付け孔に係合することで、前記接続ベース３を前記フレームに固定する。具体的には、この接続部品は、ねじ又はリベットであってよく、このようにして接続ベース３は、農業植物保護機のフレームに取り外し可能に取り付けられ、この農業植物保護機の取り外し、搬送が行いやすくなる。他の実施例において、このベース本体はさらに、接着層により前記フレームに固定され、又はこの接続ベース３は、アームと一体に成形されて製造されることができる。
【００４５】
ここで、この接続ベース３は、フレキシブル接続ベース３であってよく、ハード接続ベース３であってもよい、この接続ベース３と第１竿本体１１１との接続方法は、以下のフレキシブル接続部１１３と第１竿本体１１１及び第２竿本体１１２との複数の接続実施例を参照できる。
【００４６】
本発明の第１竿本体１１１は、フレキシブル接続部１１３により第２竿本体１１２に固定され、具体的な固定方法は、以下の複数の実施例を含む。
【００４７】
実施例１
本発明のフレキシブル接続部１１３にはロック係合孔が設けられ、前記第１竿本体１１１及び前記第２竿本体１１２には接続孔がそれぞれ設けられる。ここで、前記フレキシブル接続部１１３が前記第１竿本体１１１及び前記第２竿本体１１２にそれぞれ取り付けられるとき、前記ロック係合孔は、前記接続孔に対応することで、接続部品により係合してロックされる。
【００４８】
本実施例において、フレキシブル接続部１１３の両端部分が第１竿本体１１１及び第２竿本体１１２内に挿入して置かれ、又は第１竿本体１１１及び第２竿本体１１２の一部がフレキシブル接続部１１３内に挿入して置かれることで、挿入して置かれるサイズを限定することにより、フレキシブル接続部１１３と第１竿本体１１１及び第２竿本体１１２とを取り付け位置に到達させた後、ロック係合孔を接続孔にちょうど対応させることができ、対応していない場合、フレキシブル接続部１１３を回転することにより、ロック係合孔を接続孔に対応させることができ、その後、それぞれ接続部品により第１竿本体１１１をフレキシブル接続部１１３に固定し、第２竿本体１１２をフレキシブル接続部１１３に固定できる。ここで、この接続部は、ねじ又はインサートピンなどであってよい。
【００４９】
実施例２
このフレキシブル接続部１１３の両端には弾性ピンがそれぞれ設けられ、この第１竿本体１１１及び第２竿本体１１２には接続孔がそれぞれ設けられる。ここで、前記フレキシブル接続部１１３が、前記第１竿本体１１１及び前記第２竿本体１１２に取り付けられるとき、前記弾性ピンは、前記フレキシブル接続部１１３に縮んで入り、前記弾性ピンが前記接続孔に対応するとき、前記弾性ピンは、弾性力の作用で前記接続孔から突出して伸び出して、前記フレキシブル接続部１１３を前記第１竿本体１１１及び前記第２竿本体１１２にロックする。
【００５０】
具体的には、フレキシブル接続部１１３が、前記第１竿本体１１１及び前記第２竿本体１１２にそれぞれ取り付けられるとき、フレキシブル接続部１１３の、第１竿本体１１１に係合する弾性ピンは、第１竿本体１１１の内壁に当接して前記フレキシブル接続部１１３に縮んで入り、この弾性ピンが第１竿本体１１１の接続孔に対応するとき、弾性ピンは、弾性力の作用で前記接続孔から突出して伸び出して、前記フレキシブル接続部１１３を前記第１竿本体１１１にロックする。フレキシブル接続部１１３の、第２竿本体１１２に係合する弾性ピンは、第２竿本体１１２の内壁に当接してフレキシブル接続部１１３に縮んで入り、前記弾性ピンが第２竿本体１１２の接続孔に対応するとき、弾性ピンは、弾性力の作用で接続孔から突出して伸び出して、前記フレキシブル接続部１１３を第２竿本体１１２にロックする。
【００５１】
実施例３
このフレキシブル接続部１１３の両端には接続孔がそれぞれ設けられ、前記第１竿本体１１１及び前記第２竿本体１１２には弾性ピンがそれぞれ設けられ、ここで、前記フレキシブル接続部１１３が前記第１竿本体１１１及び前記第２竿本体１１２に取り付けられるとき、前記第１竿本体１１１の弾性ピンは、前記第１竿本体１１１に縮んで入り、前記第２竿本体１１２の弾性ピンは、前記第２竿本体１１２に縮んで入る。第１竿本体１１１の弾性ピンが、係合される接続孔に対応するとき、前記弾性ピンは、弾性力の作用で前記接続孔から突出して伸び出して、前記フレキシブル接続部１１３を前記第１竿本体１１１にロックする。第２竿本体１１２の弾性ピンが、係合される接続孔に対応するとき、前記弾性ピンは、弾性力の作用で前記接続孔から突出して伸び出して、前記フレキシブル接続部１１３を前記第２竿本体１１２にロックする。
【００５２】
当然のことながら、他の実施例において、さらに、フレキシブル接続部の一端には弾性ピンとの接続孔が設けられて、他端に弾性ピンが設けられてもよく、ユーザの要求に応じて任意に設けることができ、具体的な取り付け方法は、上述の実施例と同じであるので、ここでは説明しない。
【００５３】
実施例４
第１竿本体１１１及び第２竿本体１１２にはフレキシブル接続部１１３に係合して包むための複数の弾性ロックプレート、前記弾性ロックプレートを取り囲むロックリング、及び前記ロックリングを締め付け、又は解放するためのボルトをそれぞれ有する。本実施例において、複数の弾性ロックプレートは、一つの円状に組み合わさって丸くなり、フレキシブル接続部１１３の両端は、第１竿本体１１１の複数の弾性ロックプレートの間、及び第２竿本体１１２の複数の弾性ロックプレートにそれぞれ取り付けられ、その後、ボルトを締め付けることにより、複数の弾性ロックプレートがフレキシブル接続部１１３をクランプするようになり、これによりフレキシブル接続部１１３が第１竿本体１１１及び竿本体にそれぞれ固定されることを実現する。
【００５４】
別の実施例において、弾性ロックプレート、ロックリング、及びボルトの係合構造をフレキシブル接続部１１３の両端にそれぞれ設けてもよく、これは、第１竿本体１１１及び第２竿本体１１２をそれぞれクランプするためのものであり、これによりフレキシブル接続部１１３が第１竿本体１１１及び竿本体にそれぞれ固定されることを実現する。
【００５５】
実施例５
本発明のフレキシブル接続部１１３は、接着層（すなわち、接着剤）により前記第１竿本体１１１及び前記第２竿本体１１２にそれぞれ固定される。又は、このフレキシブル接続ベース３は、第１竿本体１１１と作製されるとき、このフレキシブル接続部１１３を第１竿本体１１１及び第２竿本体１１２と一体に成形して製造することができる。
【００５６】
当然のことながら、本発明におけるフレキシブル接続部１１３が第１竿本体１１１及び第２竿本体１１２に固定される方法は、上述の実施例に限定されるわけではなく、フレキシブル接続部１１３を第１竿本体１１１及び第２竿本体１１２に固定できる係合方法はいずれも、本発明に適用される。
【００５７】
さらに、噴霧竿１には取水口、及び取水口箇所に設けられた装着部１６が設けられ、前記装着部１６は、前記農業植物保護機のタンクに連通する接続ホースを取り付けるためのものである。本実施例において、この装着部１６は、取水口外周に設けられたねじリングであり、接続ホースには装着部１６に係合してねじ接続されるナットが設けられ、ナットと装着部１６との接続により、噴霧竿１が接続ホースを介してタンクに接続されるようになる。これにより、タンク内の水流を噴霧竿１へ向かわせる。当然のことながら、本発明の装着部１６は、ねじリングに限定されるわけではなく、接続ホースを噴霧竿１に取り付けることができる係合構造はいずれも、本発明の散布アセンブリ１０に適用される。
【００５８】
ここで、この噴霧竿１内には前記取水口と前記ノズルアセンブリ２との間に連通される水流通路が設けられ、この水流通路は、噴霧竿１内の水流をノズルアセンブリ２へ案内する。この噴霧竿１は、取水口からノズルアセンブリ２までの間に中空に設けられることで、水流通路を構成する。他の実施例において、中空に設けられた噴霧竿１内には管路が設けられることで、接続ホースとノズルアセンブリ２とを連通する。
【００５９】
本発明のノズルアセンブリ２は、ノズル本体２１、ノズル本体２１に設けられたノズル２２、及び前記ノズル本体２１に装着された減圧調節部品２３を有する。ここで、この減圧調節部品２３は、前記ノズル２２の噴水量を調節するためのものであり、この減圧調節部品２３はさらに、このノズル２２を開閉するためのものである。
【００６０】
実施例において、このノズル本体には係合部品、前記係合部品を取り囲むロックリング、及び前記ロックリングに係合するボルトが設けられる。この噴霧竿１には前記係合部品に係合して包むための少なくとも二つの弾性ロックプレートが設けられる。ここで、前記弾性ロックプレートが前記係合部品と前記ロックリングとの間に取り付けられるとき、ボルトを締め付けることにより、前記ノズル本体を前記噴霧竿１に固定し、又は、前記ボルトを解放することにより、前記ノズル本体を前記噴霧竿１から取り外す。当然のことながら、このノズルアセンブリ２が噴霧竿１に接続される方法は、これに限定されるわけではなく、上述の第１竿本体１１１、第２竿本体１１２がフレキシブル接続部１１３に接続される複数の実施例はいずれも、ノズルアセンブリ２と噴霧竿１との接続に応用されることができ、ここでは説明しない。
【００６１】
本発明の他の態様によれば、農業植物保護機をさらに提供し、この農業植物保護機は、フレーム、及びフレームに装着された散布アセンブリを有し、前記散布アセンブリは、噴霧竿、ノズルアセンブリ、及び接続ベースを有し、前記ノズルアセンブリは、前記噴霧竿の一端に接続され、前記接続ベースは、前記噴霧竿の他端に接続され、しかも前記噴霧竿をフレームに固定するためのものである。ここで、前記噴霧竿は、第１竿本体、第２竿本体、及び第１竿本体と第２竿本体とを接続するフレキシブル接続部を有し、前記第２竿本体は前記ノズルアセンブリを接続し、前記フレキシブル接続部により、前記第２竿本体が、外力の作用を受けたときに前記第１竿本体に対して揺動できるようになる。この散布アセンブリにおける各部品の間の係合の具体的な構造特徴は、上述の散布アセンブリの各実施例を参照されたく、ここでは重複して説明しない。
【００６２】
本発明はさらに、新型構造の散布アセンブリ、及びそれを有する農業植物保護機を設計し、フレームに接続される噴霧竿を第１竿本体、第２竿本体、及び第１竿本体と第２竿本体との間を接続するフレキシブル接続部に分け、これにより噴霧竿全体が一定のしなやかさを持つようになり、噴霧竿が、外力の作用を受けたときに第２竿本体を第１竿本体に対して揺動させて折れないようにでき、この散布アセンブリの使用寿命を延ばすことができる。
【００６３】
本文において、第１と第２などの関係用語は、一つの実体又は操作を他の実体又は操作と区別するためのものであるに過ぎず、これらの実体又は操作の間にいずれかの実際の関係又は順序があることを求めておらず、暗示しているわけではないことを説明する必要がある。用語「含む」、「含有」又はその他のいずれかの変形は、排他的でない包括を包含することを意図しており、これにより一連の要素を含むプロセス、方法、物品若しくは設備は、これらの要素を含むだけでなく、しかも明確に列記されていないその他の要素も含み、又はこのようなプロセス、方法、物品若しくは設備に固有の要素をさらに含むようになる。さらに多くの限定がなければ、語句「一つの・・・を含む」に限定される要素は、前記要素を含むプロセス、方法、物品又は設備においてその他の同一要素がさらに存在することを排除するわけではない。
【００６４】
以上のように本発明の実施例により提供される方法、及び装置を詳細に説明し、本文において、具体的な例示を応用して本発明の原理及び実施形態を説明したが、以上の実施例の説明は、本発明の方法及びその核心となる趣旨に対する理解を助けるためのものであるに過ぎない。同時に、当業者にとって、本発明の趣旨に基づいて、具体的な実施形態及び応用範囲のいずれにも変更できる箇所においては、以上を総合すると、本明細書の内容は、本発明に対する限定と理解されるべきではない。
【図１】
2021506290.tif 000003
【図２】
2021506290.tif 000004
【図３】
2021506290.tif 000005
【図４】
2021506290.tif 000006
【図５】
2021506290.tif 000007
【図６】
2021506290.tif 000008
【図７】
2021506290.tif 000009
【図８】
2021506290.tif 000010
【図９】
2021506290.tif 000011
【図１０】
2021506290.tif 000012
【手続補正書】
【提出日】令和2年6月17日(2020.6.17)
【手続補正１】
【補正対象書類名】特許請求の範囲
【補正対象項目名】全文
【補正方法】変更
【補正の内容】
【特許請求の範囲】
【請求項１】
散布アセンブリであって、
噴霧竿、ノズルアセンブリ、及び接続ベースを有し、
前記ノズルアセンブリは、前記噴霧竿の一端に接続され、
前記接続ベースは、前記噴霧竿の他端に接続され、しかも前記噴霧竿を農業植物保護機のフレームに固定するためのものであり、
前記接続ベースは、フレキシブル接続ベースであり、これにより前記噴霧竿が、外力の作用を受けたときに前記フレームに対して揺動できるようになること、
を特徴とする、散布アセンブリ。
【請求項２】
前記接続ベースは、ベース本体、及び前記ベース本体から延在する接続部を有し、
前記接続ベースは、前記接続部により前記噴霧竿に固定されること、
を特徴とする、請求項１に記載の散布アセンブリ。
【請求項３】
前記接続部にはロック係合孔が設けられ、前記噴霧竿には接続孔が設けられ、
前記接続部が前記噴霧竿内に取り付けられるとき、前記ロック係合孔は、前記接続孔に対応することで、接続部品により係合してロックされること、
を特徴とする、請求項２に記載の散布アセンブリ。
【請求項４】
前記接続部には弾性ピンが設けられ、前記噴霧竿には接続孔が設けられ、
前記接続部が前記噴霧竿に取り付けられるとき、前記弾性ピンは、前記接続部に縮んで入り、前記弾性ピンが前記接続孔に対応するとき、前記弾性ピンは、弾性力の作用で前記接続孔から突出して伸び出して、前記接続ベースを前記噴霧竿にロックすること、
を特徴とする、請求項２に記載の散布アセンブリ。
【請求項５】
前記接続部には接続孔が設けられ、前記噴霧竿には弾性ピンが設けられ、
前記接続部が前記噴霧竿に取り付けられるとき、前記弾性ピンは、前記噴霧竿に縮んで入り、前記弾性ピンが前記接続孔に対応するとき、前記弾性ピンは、弾性力の作用で前記接続孔から突出して伸び出して、前記接続ベースを前記噴霧竿にロックすること、
を特徴とする、請求項２に記載の散布アセンブリ。
【請求項６】
前記噴霧竿には前記接続部に係合して包むための複数の弾性ロックプレート、
前記弾性ロックプレートを取り囲むロックリング、及び、
前記ロックリングを締め付け、又は解放するためのボルトを有すること、
を特徴とする、請求項２に記載の散布アセンブリ。
【請求項７】
前記接続部は、
前記噴霧竿に係合して包むための複数の弾性ロックプレート、
前記弾性ロックプレートを取り囲むロックリング、及び、
前記ロックリングを締め付け、又は解放するためのボルトを有すること、
を特徴とする、請求項２に記載の散布アセンブリ。
【請求項８】
前記接続部は、接着層により前記噴霧竿に固定されること、
を特徴とする、請求項２に記載の散布アセンブリ。
【請求項９】
前記ベース本体には取り付け孔が設けられ、前記接続ベースは、接続部品が前記取り付け孔に係合することで、前記接続ベースを前記フレームに固定することを特徴とする、請求項２に記載の散布アセンブリ。
【請求項１０】
前記ベース本体は、接着層により前記フレームに固定されることを特徴とする、請求項２に記載の散布アセンブリ。
【請求項１１】
前記散布アセンブリは、前記接続ベースにより前記農業植物保護機のアーム下方に固定されることを特徴とする、請求項１に記載の散布アセンブリ。
【請求項１２】
前記接続ベースは、ＮＢＲ、ＥＰＤＭ、ＦＰＭのうちの１種又は複数種の組み合わせから製造されることを特徴とする、請求項１に記載の散布アセンブリ。
【請求項１３】
前記噴霧竿には取水口、及び前記取水口箇所に設けられた装着部が設けられ、前記装着部は、前記農業植物保護機のタンクに連通する接続ホースを取り付けるためのものであることを特徴とする、請求項１に記載の散布アセンブリ。
【請求項１４】
前記噴霧竿内には前記取水口と前記ノズルアセンブリとの間に連通される水流通路が設けられることを特徴とする、請求項１３に記載の散布アセンブリ。
【請求項１５】
前記ノズルアセンブリは、ノズル本体、ノズル本体に設けられたノズル、及び前記ノズル本体に装着された減圧調節部品を有し、前記減圧調節部品は、前記ノズルの噴水量を調節するためのものであることを特徴とする、請求項１に記載の散布アセンブリ。
【請求項１６】
前記ノズル本体には係合部品、前記係合部品を取り囲むロックリング、及び前記ロックリングに係合するボルトが設けられ、
前記噴霧竿には前記係合部品に係合して包むための少なくとも二つの弾性ロックプレートが設けられ、
前記弾性ロックプレートが前記係合部品と前記ロックリングとの間に取り付けられるとき、ボルトを締め付けることにより、前記ノズル本体を前記噴霧竿に固定し、又は、前記ボルトを解放することにより、前記ノズル本体を前記噴霧竿から取り外すこと、
を特徴とする、請求項１５に記載の散布アセンブリ。
【請求項１７】
フレームと、請求項１から１６のうちいずれか一項に記載の散布アセンブリとを有し、
前記散布アセンブリが前記フレームに装着されている、
農業植物保護機。
【手続補正２】
【補正対象書類名】明細書
【補正対象項目名】全文
【補正方法】変更
【補正の内容】
【発明の詳細な説明】
【技術分野】
【０００１】
本発明は、植物保護の散布システムの技術分野に関し、特に、散布アセンブリ、及び農業植物保護機に関する。
【背景技術】
【０００２】
関連技術において、散布システムは、農業生産、植物保護などの分野の農薬、化学肥料、水などの液体の散布に用いられる。農業植物保護機に装着された散布アセンブリは、液体を作物の表面に散布するためのものであり、これにより労働力を解放し、作業効率を高めることができる。
【発明の概要】
【発明が解決しようとする課題】
【０００３】
既存の農業植物保護機の散布アセンブリの噴霧竿は、農業植物保護機のフレームにしっかりと接続されており、噴霧竿は通常、農業植物保護機の本体よりも長く伸びているので、噴霧竿は、搬送及び衝突過程で非常に折れやすくなってしまう。
【課題を解決するための手段】
【０００４】
本発明は、上述の技術的課題を解決するために、相対的に揺動可能な散布アセンブリ、及び農業植物保護機を提供する。
【０００５】
本発明の実施例の第１の態様によれば、散布アセンブリであって、噴霧竿、ノズルアセンブリ、及び接続ベースを有し、前記ノズルアセンブリは、前記噴霧竿の一端に接続され、前記接続ベースは、前記噴霧竿の他端に接続され、しかも前記噴霧竿を農業植物保護機のフレームに固定するためのものである、散布アセンブリを提供する。
【０００６】
ここで、前記接続ベースは、フレキシブル接続ベースであり、これにより前記噴霧竿が、外力の作用を受けたときに前記フレームに対して揺動できるようになる。
【０００７】
本発明の実施例の第２の態様によれば、散布アセンブリであって、噴霧竿、ノズルアセンブリ、及び接続ベースを有し、前記ノズルアセンブリは、前記噴霧竿の一端に接続され、前記接続ベースは、前記噴霧竿の他端に接続され、しかも前記噴霧竿を農業植物保護機のフレームに固定するためのものである、散布アセンブリを提供する。
【０００８】
ここで、前記噴霧竿は、第１竿本体、第２竿本体、及び第１竿本体と第２竿本体とを接続するフレキシブル接続部を有し、前記第２竿本体は、前記ノズルアセンブリを接続し、前記フレキシブル接続部により、前記第２竿本体が、外力の作用を受けたときに前記第１竿本体に対して揺動できるようになる。
【０００９】
本発明の実施例の第３の態様によれば、農業植物保護機であって、フレーム、及びフレームに装着された散布アセンブリを有し、前記散布アセンブリは、噴霧竿、ノズルアセンブリ、及び接続ベースを有し、前記ノズルアセンブリは、前記噴霧竿の一端に接続され、前記接続ベースは、前記噴霧竿の他端に接続され、しかも前記噴霧竿を前記フレームに固定するためのものである、農業植物保護機を提供する。
【００１０】
ここで、前記接続ベースは、フレキシブル接続ベースであり、これにより前記噴霧竿が、外力の作用を受けたときに前記フレームに対して揺動できるようになる。
【００１１】
本発明の実施例の第４の態様によれば、農業植物保護機であって、フレーム、及び前記フレームに装着された散布アセンブリを有し、前記散布アセンブリは、噴霧竿、ノズルアセンブリ、及び接続ベースを有し、前記ノズルアセンブリは、前記噴霧竿の一端に接続され、前記接続ベースは、前記噴霧竿の他端に接続され、しかも前記噴霧竿をフレームに固定するためのものである、農業植物保護機を提供する。
【００１２】
ここで、前記噴霧竿は、第１竿本体、第２竿本体、及び第１竿本体と第２竿本体とを接続するフレキシブル接続部を有し、前記第２竿本体は、前記ノズルアセンブリを接続し、前記フレキシブル接続部により、前記第２竿本体が、外力の作用を受けたときに前記第１竿本体に対して揺動できるようになる。
【００１３】
本発明は、新型構造の散布アセンブリ、及びそれを有する農業植物保護機を設計し、噴霧竿とフレームに接続される接続ベースは、フレキシブル接続ベースを選択することで、散布アセンブリが一定のしなやかさを持つようになり、噴霧竿が、外力の作用を受けたときにフレームに対して揺動して折れないようにでき、この散布アセンブリの使用寿命を延ばすことができる。
【００１４】
本発明はさらに、新型構造の散布アセンブリ、及びそれを有する農業植物保護機を設計し、フレームに接続される噴霧竿を第１竿本体、第２竿本体、及び第１竿本体と第２竿本体との間を接続するフレキシブル接続部に分け、これにより噴霧竿全体が一定のしなやかさを持つようになり、噴霧竿が、外力の作用を受けたときに第２竿本体を第１竿本体に対して揺動させて折れないようにでき、この散布アセンブリの使用寿命を延ばすことができる。
【００１５】
本出願の実施例における技術的解決手段をさらに明確に説明するために、次に実施例の説明に使用されることが必要な図面を簡単に説明する。以下の説明における図面は、本出願のいくつかの実施例であるに過ぎず、当業者にとって、創造的な作業をしない前提で、これらの図面に基づいて、その他の図面をさらに得られることは自明である。
【図面の簡単な説明】
【００１６】
【図１】本発明の例示的な実施例により示される散布アセンブリの構造概略図である。
【図２】本発明の例示的な実施例により示される散布アセンブリの分解概略図である。
【図３】本発明の例示的な実施例により示される散布アセンブリの接続ベースの構造概略図である。
【図４】本発明の例示的な実施例により示される接続ベースと噴霧竿との組立概略図である。
【図５】本発明の他の例示的な実施例により示される接続ベースと噴霧竿との組立概略図である。
【図６】本発明の他の例示的な実施例により示される接続ベースと噴霧竿との組立概略図である。
【図７】本発明の他の例示的な実施例により示される接続ベースと噴霧竿との組立概略図である。
【図８】本発明の例示的な実施例により示される噴霧竿とノズルアセンブリとの組立概略図である。
【図９】本発明の他の例示的な実施例により示される散布アセンブリの構造概略図である。
【図１０】本発明の例示的な実施例により示される農業植物保護機の構造概略図である。
【発明を実施するための形態】
【００１７】
以下に本出願の実施例における図面を踏まえ、本出願の実施例における技術的解決手段に明確で、完全な説明を行う。説明される実施例は、本出願の一部の実施例であるに過ぎず、すべての実施例でないことは明らかである。本出願の実施例に基づいて、当業者により創造的な作業をしない前提で得られたすべてのその他の実施例はいずれも、本出願の保護する範囲に属する。
【００１８】
ここで例示的実施例を詳細に説明するが、その例示は、図面に表示される。以下の説明が図面に及ぶとき、他の表示がなければ、異なる図面における同一の数字は、同一又は類似の要素を示す。以下の例示的な実施例において説明される実施形態は、本発明に一致するすべての実施形態を表すわけではない。逆に、それらは、添付の特許請求の範囲に説明される、本発明のいくつかの態様に一致する装置及び方法の例に過ぎない。
【００１９】
本発明で使用される用語は、特定の実施例を説明することを目的としているに過ぎず、本発明を限定する意図はない。本発明及び添付の特許請求の範囲に使用される単数形の「１つ」、「前記」及び「この」も、上下の文においてその他の意味を明確に示している場合を除き、複数形を含むことを意図している。本文に使用される用語「少なくともひとつ」は、一つ又は複数の関連する列記項目のあらゆる可能な組み合わせを含むことを意図することをさらに理解すべきである。
【００２０】
以下に図面を踏まえ、本発明の散布アセンブリ、及び農業植物保護機を詳細に説明する。矛盾がなければ、以下に記載される実施例及び実施形態における特徴は、互いに組み合わせることができる。
【００２１】
図１及び図２に示すように、本発明の実施例の散布アセンブリ１０は、噴霧竿１、ノズルアセンブリ２、及び接続ベース３を有する。このノズルアセンブリ２は、前記噴霧竿１の一端に接続され、前記接続ベース３は、前記噴霧竿１の他端に接続され、しかも前記噴霧竿１を農業植物保護機のフレームに固定するためのものであり、農業植物保護機は、この噴霧竿１により農薬、化学肥料、水などの液体を散布する。
【００２２】
ここで、本発明の接続ベース３は、フレキシブル接続ベース３であり、これにより前記噴霧竿１が、外力の作用を受けたときに前記フレームに対して揺動できるようになる。具体的には、噴霧竿１は、外力の作用を受けたとき、このフレキシブル接続ベース３を基準点として一定幅揺動し、又は折れ曲がることができ、このようにして、農業植物保護機が搬送中に散布アセンブリ１０に衝突したときに噴霧竿１が折れないようになる。
【００２３】
ここで、この接続ベース３は、ゴム材料から製造される。具体的には、この接続ベース３は、ＮＢＲ（Ｎｉｔｒｉｌｅ  Ｂｕｔａｄｉｅｎｅ  Ｒｕｂｂｅｒ、ニトリルゴム）、ＥＰＤＭ（Ｅｔｈｙｌｅｎｅ  Ｐｒｏｐｙｌｅｎｅ  Ｄｉｅｎｅ  Ｍｏｎｏｍｅｒ、エチレンプロピレンゴム）、ＦＰＭ（Ｆｌｕｏｒｏｒｕｂｂｅｒ、フッ素ゴム）のうちの一種又は複数種の組み合わせから製造される。当然のことながら、本発明の接続ベース３は、この上述のゴム材料に限定されるわけではなく、柔軟性、弾性がある材料はいずれも、本発明の接続ベース３に適用できる。
【００２４】
図１及び図１０に示すように、本発明の実施例において、この散布アセンブリ１０は、接続ベース３により農業植物保護機１００のアーム１０２下方に固定される。アーム１０２には動力装置１０３、及び動力装置１０３に取り付けられた回転翼１０４が取り付けられ、動力装置１０３が回転翼１０４の回転を駆動するとき、この回転翼１０４は、下方向の気流を形成し、この気流は、ノズルアセンブリ２から噴出される霧水を農作物へ散布することを補助でき、風向きの影響を減らすことができる。
【００２５】
図３に示すように、この接続ベース３は、ベース本体３１、及び前記ベース本体３１から延在する接続部３２を有する。選択可能な実施例において、このベース本体３１には取り付け孔３１１が設けられ、前記接続ベース３は、接続部品が前記取り付け孔３１１に係合することで、前記接続ベース３を前記フレームに固定する。具体的には、この接続部品は、ねじ又はリベットであってよく、このようにして接続ベース３は、農業植物保護機のフレームに取り外し可能に取り付けられ、この農業植物保護機の取り外し、搬送が行いやすくなる。他の実施例において、このベース本体３１はさらに、接着層により前記フレームに固定され、又はこの接続ベース３は、アームと一体に成形されて製造されることができる。
【００２６】
本発明の接続ベース３は、前記接続部３２により前記噴霧竿１に固定され、具体的な固定接続方法は、以下の複数の実施例を含む。
【実施例】
【００２７】
実施例１
図２に示すように、この接続部３２にはロック係合孔３２１が設けられ、前記噴霧竿１には接続孔１１が設けられる。ここで、前記接続部３２が前記噴霧竿１内に取り付けられるとき、前記ロック係合孔３２１は、前記接続孔１１に対応することで、接続部品により係合してロックされる。本実施例において、接続部３２は、この噴霧竿１内に挿入して置かれ、この接続部３２のサイズを設定することにより、接続ベース３が噴霧竿１内のサイズに取り付けられるように制限し、この接続部３２が取り付け位置に到達した後、ロック係合孔３２１を接続孔１１にちょうど対応させることができ、対応していない場合、噴霧竿１を回転することにより、ロック係合孔３２１を接続孔１１に対応させることができ、その後、接続部品により、この接続部３２を噴霧竿１に固定し、この接続部品は、ねじ又はインサートピンなどであってよい。その他の実施例において、噴霧竿１を接続部３２内に挿入して置いてもよい。
【００２８】
実施例２
図４に示すように、この接続部３２には弾性ピン３２１が設けられ、この弾性ピン３２１は、外力の作用で接続部３２内に圧縮されることができ、外力がなくなった後、弾性力の作用で接続部３２から弾き出されることができる。対応して、噴霧竿１には接続孔１１が設けられる。ここで、前記接続部３２が前記噴霧竿１に取り付けられるとき、外力の作用で（この弾性ピン３２１を押圧し、又は弾性ピン３２１が噴霧竿１の内壁に当接することを含む）、前記弾性ピン３２１は、前記接続部３２に縮んで入り、前記弾性ピン３２１が前記接続孔１１に対応するとき、前記弾性ピン３２１は、弾性力の作用で前記接続孔１１から突出して伸び出して、前記接続ベース３を前記噴霧竿１にロックする。
【００２９】
実施例３
図５に示すように、接続部３２には接続孔３２１が設けられ、前記噴霧竿１には弾性ピン１１が設けられる。この実施例において、噴霧竿１が接続部３２に接続する部分は、接続部３２内に取り付けられる。ここで、前記接続部３２が前記噴霧竿１に取り付けられるとき、外力の作用で（この弾性ピン１１を押圧し、又は弾性ピン１１が接続部３２の内壁に当接することを含む）、前記弾性ピン１１は、前記噴霧竿１に縮んで入り、前記弾性ピン１１が前記接続孔３２１に対応するとき、前記弾性ピン１１は、弾性力の作用で前記接続孔３２１から突出して伸び出して、前記接続ベース３を前記噴霧竿１にロックする。
実施例４
【００３０】
図６に示すように、前記噴霧竿１には前記接続部３２に係合して包むための複数の弾性ロックプレート１２、前記弾性ロックプレート１２を取り囲むロックリング１３、及び前記ロックリング１３を締め付け、又は解放するためのボルト１４を有する。本実施例において、複数の弾性ロックプレート１２は、一つの円状に組み合わさって丸くなり、接続部３２は、この噴霧竿１の複数の弾性ロックプレート１２の間に取り付けられ、その後、ボルト１４を締め付けることにより、複数の弾性ロックプレート１２が接続部３２をクランプするようになり、これにより、接続ベース３と噴霧竿１との固定を実現する。
【００３１】
実施例５
図７に示すように、この接続部３２は、前記噴霧竿１に係合して包むための複数の弾性ロックプレート３２１、前記弾性ロックプレート３２１を取り囲むロックリング１３、及び前記ロックリング１３を締め付け、又は解放するためのボルト１４を有する。この実施例において、接続部３２は、複数の弾性ロックプレート３２１を有し、複数の弾性ロックプレート３２１は、一つの円状に組み合わさって丸くなり、噴霧竿１は、この接続部３２の複数の弾性ロックプレート３２１の間に取り付けられ、その後、ボルト１４を締め付けることにより、複数の弾性ロックプレート３２１が噴霧竿１をクランプするようになり、これにより、接続ベース３と噴霧竿１との固定を実現する。
【００３２】
実施例６
この接続部３２はさらに、接着層（すなわち、接着剤）により前記噴霧竿１に固定されることができる。又は、このフレキシブル接続ベース３は、噴霧竿１と作製されるとき、このフレキシブル接続ベース３をこの噴霧竿１と一体に成形して製造することができる。
【００３３】
当然のことながら、本発明における接続ベース３が噴霧竿１に固定される方法は、上述の実施例に限定されるわけではなく、接続ベース３を噴霧竿１に固定できる係合方法はいずれも、本発明に適用される。
【００３４】
さらに、図１、図２及び図１０に示すように、噴霧竿１には取水口（図示せず）、及び取水口箇所に設けられた装着部１６が設けられ、前記装着部１６は、前記農業植物保護機１００のタンク１０５に連通する接続ホース（図示せず）を取り付けるためのものである。本実施例において、この装着部１６は、取水口外周に設けられたねじリングであり、接続ホースには装着部１６に係合してねじ接続されるナットが設けられ、ナットと装着部１６との接続により、噴霧竿１が接続ホースを介してタンク１０５に接続されるようになる。これにより、タンク１０５内の水流を噴霧竿１へ向かわせる。当然のことながら、本発明の装着部１６は、ねじリングに限定されるわけではなく、接続ホースを噴霧竿１に取り付けることができる係合構造はいずれも、本発明の散布アセンブリ１０に適用される。
【００３５】
ここで、この噴霧竿１内には前記取水口と前記ノズルアセンブリ２との間に連通される水流通路（図示せず）が設けられ、この水流通路は、噴霧竿１内の水流をノズルアセンブリ２へ案内する。この噴霧竿１は、取水口からノズルアセンブリ２までの間に中空に設けられることで、水流通路を構成する。他の実施例において、中空に設けられた噴霧竿１内には管路が設けられることで、接続ホースとノズルアセンブリ２とを連通する。
【００３６】
図１及び図８に示すように、本発明のノズルアセンブリ２は、ノズル本体２１、ノズル本体２１に設けられたノズル２２、及び前記ノズル本体２１に装着された減圧調節部品２３を有する。ここで、この減圧調節部品２３は、前記ノズル２２の噴水量を調節するためのものであり、この減圧調節部品２３はさらに、このノズル２２を開閉するためのものである。
【００３７】
実施例において、このノズル本体には係合部品２１１、前記係合部品２１１を取り囲むロックリング２１２、及び前記ロックリング２１２に係合するボルト２１３が設けられる。この噴霧竿１には前記係合部品２１１に係合して包むための少なくとも二つの弾性ロックプレート１７が設けられる。ここで、前記弾性ロックプレート１７が前記係合部品２１１と前記ロックリング２１２との間に取り付けられるとき、ボルト２１３を締め付けることにより、前記ノズル本体２１を前記噴霧竿１に固定し、又は、前記ボルト２１３を解放することにより、前記ノズル本体２１を前記噴霧竿１から取り外す。当然のことながら、このノズルアセンブリ２が噴霧竿１に接続される方法は、これに限定されるわけではなく、上述の噴霧竿１が接続ベース３に接続される複数の実施例はいずれも、ノズルアセンブリ２と噴霧竿１との接続に応用されることができ、ここでは説明しない。
【００３８】
図１及び図１０に示すように、本発明の実施例の他の態様によれば、農業植物保護機１００をさらに提供し、この農業植物保護機１００は、フレーム１０１、及びフレーム１０１に装着された散布アセンブリ１０を有し、前記散布アセンブリ１０は、噴霧竿１、ノズルアセンブリ２、及び接続ベース３を有し、前記ノズルアセンブリ２は、前記噴霧竿１の一端に接続され、前記接続ベース３は、前記噴霧竿１の他端に接続され、しかも前記噴霧竿１を前記フレーム１０１に固定するためのものである。ここで、前記接続ベース３は、フレキシブル接続ベース３であり、これにより前記噴霧竿１が、外力の作用を受けたときに前記フレーム１０１に対して揺動できるようになる。この散布アセンブリ１０における各部品の間の係合の具体的な構造特徴は、上述の散布アセンブリ１０の各実施例を参照されたく、ここでは重複して説明しない。
【００３９】
本発明は、新型構造の散布アセンブリ、及びそれを有する農業植物保護機を設計し、噴霧竿とフレームに接続される接続ベースは、フレキシブル接続ベースを選択することで、散布アセンブリが一定のしなやかさを持つようになり、噴霧竿が、外力の作用を受けたときにフレームに対して揺動して折れないようにでき、この散布アセンブリの使用寿命を延ばすことができる。
【００４０】
図９に示すように、本発明の他の態様では、散布アセンブリ１０を提供し、この散布アセンブリ１０は、噴霧竿１、ノズルアセンブリ２、及び接続ベース３を有し、前記ノズルアセンブリ２は、前記噴霧竿１の一端に接続され、前記接続ベース３は、前記噴霧竿１の他端に接続され、しかも前記噴霧竿１を農業植物保護機のフレームに固定するためのものであり、農業植物保護機は、この噴霧竿１により農薬、化学肥料、水などの液体を散布する。
【００４１】
ここで、この噴霧竿１は、第１竿本体１１１、第２竿本体１１２、及び第１竿本体１１１と第２竿本体１１２とを接続するフレキシブル接続部１１３を有し、この第２竿本体１１２は、前記ノズルアセンブリ２を接続し、前記フレキシブル接続部１１３により、前記第２竿本体１１２が、外力の作用を受けたときに前記第１竿本体１１１に対して揺動できるようになる。具体的には、噴霧竿１は、外力の作用を受けたとき、このフレキシブル接続部１１３を基準点として一定幅揺動し、又は折れ曲がることができ、このようにして、農業植物保護機が搬送中に散布アセンブリ１０に衝突したときに噴霧竿１が折れないようになる。
【００４２】
ここで、このフレキシブル接続部１１３は、ゴム材料から製造される。具体的には、このフレキシブル接続部１１３は、ＮＢＲ（Ｎｉｔｒｉｌｅ  Ｂｕｔａｄｉｅｎｅ  Ｒｕｂｂｅｒ、ニトリルゴム）、ＥＰＤＭ（Ｅｔｈｙｌｅｎｅ  Ｐｒｏｐｙｌｅｎｅ  Ｄｉｅｎｅ  Ｍｏｎｏｍｅｒ、エチレンプロピレンゴム）、ＦＰＭ（Ｆｌｕｏｒｏｒｕｂｂｅｒ、フッ素ゴム）のうちの一種又は複数種の組み合わせから製造される。当然のことながら、本発明のフレキシブル接続部１１３は、この上述のゴム材料に限定されるわけではなく、柔軟性、弾性がある材料はいずれも、本発明のフレキシブル接続部１１３に適用できる。
【００４３】
本発明の実施例において、この散布アセンブリ１０は、接続ベース３により農業植物保護機のアーム下方に固定される。アームには動力装置、及び動力装置に取り付けられた回転翼が取り付けられ、動力装置が回転翼の回転を駆動するとき、この回転翼は、下方向の気流を形成し、この気流は、ノズルアセンブリ２から噴出される霧水を農作物へ散布することを補助でき、風向きの影響を減らすことができる。
【００４４】
選択可能な実施例において、このベース本体には取り付け孔が設けられ、前記接続ベース３は、接続部品が前記取り付け孔に係合することで、前記接続ベース３を前記フレームに固定する。具体的には、この接続部品は、ねじ又はリベットであってよく、このようにして接続ベース３は、農業植物保護機のフレームに取り外し可能に取り付けられ、この農業植物保護機の取り外し、搬送が行いやすくなる。他の実施例において、このベース本体はさらに、接着層により前記フレームに固定され、又はこの接続ベース３は、アームと一体に成形されて製造されることができる。
【００４５】
ここで、この接続ベース３は、フレキシブル接続ベース３であってよく、ハード接続ベース３であってもよい、この接続ベース３と第１竿本体１１１との接続方法は、以下のフレキシブル接続部１１３と第１竿本体１１１及び第２竿本体１１２との複数の接続実施例を参照できる。
【００４６】
本発明の第１竿本体１１１は、フレキシブル接続部１１３により第２竿本体１１２に固定され、具体的な固定方法は、以下の複数の実施例を含む。
【００４７】
実施例１
本発明のフレキシブル接続部１１３にはロック係合孔が設けられ、前記第１竿本体１１１及び前記第２竿本体１１２には接続孔がそれぞれ設けられる。ここで、前記フレキシブル接続部１１３が前記第１竿本体１１１及び前記第２竿本体１１２にそれぞれ取り付けられるとき、前記ロック係合孔は、前記接続孔に対応することで、接続部品により係合してロックされる。
【００４８】
本実施例において、フレキシブル接続部１１３の両端部分が第１竿本体１１１及び第２竿本体１１２内に挿入して置かれ、又は第１竿本体１１１及び第２竿本体１１２の一部がフレキシブル接続部１１３内に挿入して置かれることで、挿入して置かれるサイズを限定することにより、フレキシブル接続部１１３と第１竿本体１１１及び第２竿本体１１２とを取り付け位置に到達させた後、ロック係合孔を接続孔にちょうど対応させることができ、対応していない場合、フレキシブル接続部１１３を回転することにより、ロック係合孔を接続孔に対応させることができ、その後、それぞれ接続部品により第１竿本体１１１をフレキシブル接続部１１３に固定し、第２竿本体１１２をフレキシブル接続部１１３に固定できる。ここで、この接続部は、ねじ又はインサートピンなどであってよい。
【００４９】
実施例２
このフレキシブル接続部１１３の両端には弾性ピンがそれぞれ設けられ、この第１竿本体１１１及び第２竿本体１１２には接続孔がそれぞれ設けられる。ここで、前記フレキシブル接続部１１３が、前記第１竿本体１１１及び前記第２竿本体１１２に取り付けられるとき、前記弾性ピンは、前記フレキシブル接続部１１３に縮んで入り、前記弾性ピンが前記接続孔に対応するとき、前記弾性ピンは、弾性力の作用で前記接続孔から突出して伸び出して、前記フレキシブル接続部１１３を前記第１竿本体１１１及び前記第２竿本体１１２にロックする。
【００５０】
具体的には、フレキシブル接続部１１３が、前記第１竿本体１１１及び前記第２竿本体１１２にそれぞれ取り付けられるとき、フレキシブル接続部１１３の、第１竿本体１１１に係合する弾性ピンは、第１竿本体１１１の内壁に当接して前記フレキシブル接続部１１３に縮んで入り、この弾性ピンが第１竿本体１１１の接続孔に対応するとき、弾性ピンは、弾性力の作用で前記接続孔から突出して伸び出して、前記フレキシブル接続部１１３を前記第１竿本体１１１にロックする。フレキシブル接続部１１３の、第２竿本体１１２に係合する弾性ピンは、第２竿本体１１２の内壁に当接してフレキシブル接続部１１３に縮んで入り、前記弾性ピンが第２竿本体１１２の接続孔に対応するとき、弾性ピンは、弾性力の作用で接続孔から突出して伸び出して、前記フレキシブル接続部１１３を第２竿本体１１２にロックする。
【００５１】
実施例３
このフレキシブル接続部１１３の両端には接続孔がそれぞれ設けられ、前記第１竿本体１１１及び前記第２竿本体１１２には弾性ピンがそれぞれ設けられ、ここで、前記フレキシブル接続部１１３が前記第１竿本体１１１及び前記第２竿本体１１２に取り付けられるとき、前記第１竿本体１１１の弾性ピンは、前記第１竿本体１１１に縮んで入り、前記第２竿本体１１２の弾性ピンは、前記第２竿本体１１２に縮んで入る。第１竿本体１１１の弾性ピンが、係合される接続孔に対応するとき、前記弾性ピンは、弾性力の作用で前記接続孔から突出して伸び出して、前記フレキシブル接続部１１３を前記第１竿本体１１１にロックする。第２竿本体１１２の弾性ピンが、係合される接続孔に対応するとき、前記弾性ピンは、弾性力の作用で前記接続孔から突出して伸び出して、前記フレキシブル接続部１１３を前記第２竿本体１１２にロックする。
【００５２】
当然のことながら、他の実施例において、さらに、フレキシブル接続部の一端には弾性ピンとの接続孔が設けられて、他端に弾性ピンが設けられてもよく、ユーザの要求に応じて任意に設けることができ、具体的な取り付け方法は、上述の実施例と同じであるので、ここでは説明しない。
【００５３】
実施例４
第１竿本体１１１及び第２竿本体１１２にはフレキシブル接続部１１３に係合して包むための複数の弾性ロックプレート、前記弾性ロックプレートを取り囲むロックリング、及び前記ロックリングを締め付け、又は解放するためのボルトをそれぞれ有する。本実施例において、複数の弾性ロックプレートは、一つの円状に組み合わさって丸くなり、フレキシブル接続部１１３の両端は、第１竿本体１１１の複数の弾性ロックプレートの間、及び第２竿本体１１２の複数の弾性ロックプレートにそれぞれ取り付けられ、その後、ボルトを締め付けることにより、複数の弾性ロックプレートがフレキシブル接続部１１３をクランプするようになり、これによりフレキシブル接続部１１３が第１竿本体１１１及び竿本体にそれぞれ固定されることを実現する。
【００５４】
別の実施例において、弾性ロックプレート、ロックリング、及びボルトの係合構造をフレキシブル接続部１１３の両端にそれぞれ設けてもよく、これは、第１竿本体１１１及び第２竿本体１１２をそれぞれクランプするためのものであり、これによりフレキシブル接続部１１３が第１竿本体１１１及び竿本体にそれぞれ固定されることを実現する。
【００５５】
実施例５
本発明のフレキシブル接続部１１３は、接着層（すなわち、接着剤）により前記第１竿本体１１１及び前記第２竿本体１１２にそれぞれ固定される。又は、このフレキシブル接続ベース３は、第１竿本体１１１と作製されるとき、このフレキシブル接続部１１３を第１竿本体１１１及び第２竿本体１１２と一体に成形して製造することができる。
【００５６】
当然のことながら、本発明におけるフレキシブル接続部１１３が第１竿本体１１１及び第２竿本体１１２に固定される方法は、上述の実施例に限定されるわけではなく、フレキシブル接続部１１３を第１竿本体１１１及び第２竿本体１１２に固定できる係合方法はいずれも、本発明に適用される。
【００５７】
さらに、噴霧竿１には取水口、及び取水口箇所に設けられた装着部１６が設けられ、前記装着部１６は、前記農業植物保護機のタンクに連通する接続ホースを取り付けるためのものである。本実施例において、この装着部１６は、取水口外周に設けられたねじリングであり、接続ホースには装着部１６に係合してねじ接続されるナットが設けられ、ナットと装着部１６との接続により、噴霧竿１が接続ホースを介してタンクに接続されるようになる。これにより、タンク内の水流を噴霧竿１へ向かわせる。当然のことながら、本発明の装着部１６は、ねじリングに限定されるわけではなく、接続ホースを噴霧竿１に取り付けることができる係合構造はいずれも、本発明の散布アセンブリ１０に適用される。
【００５８】
ここで、この噴霧竿１内には前記取水口と前記ノズルアセンブリ２との間に連通される水流通路が設けられ、この水流通路は、噴霧竿１内の水流をノズルアセンブリ２へ案内する。この噴霧竿１は、取水口からノズルアセンブリ２までの間に中空に設けられることで、水流通路を構成する。他の実施例において、中空に設けられた噴霧竿１内には管路が設けられることで、接続ホースとノズルアセンブリ２とを連通する。
【００５９】
本発明のノズルアセンブリ２は、ノズル本体２１、ノズル本体２１に設けられたノズル２２、及び前記ノズル本体２１に装着された減圧調節部品２３を有する。ここで、この減圧調節部品２３は、前記ノズル２２の噴水量を調節するためのものであり、この減圧調節部品２３はさらに、このノズル２２を開閉するためのものである。
【００６０】
実施例において、このノズル本体には係合部品、前記係合部品を取り囲むロックリング、及び前記ロックリングに係合するボルトが設けられる。この噴霧竿１には前記係合部品に係合して包むための少なくとも二つの弾性ロックプレートが設けられる。ここで、前記弾性ロックプレートが前記係合部品と前記ロックリングとの間に取り付けられるとき、ボルトを締め付けることにより、前記ノズル本体を前記噴霧竿１に固定し、又は、前記ボルトを解放することにより、前記ノズル本体を前記噴霧竿１から取り外す。当然のことながら、このノズルアセンブリ２が噴霧竿１に接続される方法は、これに限定されるわけではなく、上述の第１竿本体１１１、第２竿本体１１２がフレキシブル接続部１１３に接続される複数の実施例はいずれも、ノズルアセンブリ２と噴霧竿１との接続に応用されることができ、ここでは説明しない。
【００６１】
本発明の他の態様によれば、農業植物保護機をさらに提供し、この農業植物保護機は、フレーム、及びフレームに装着された散布アセンブリを有し、前記散布アセンブリは、噴霧竿、ノズルアセンブリ、及び接続ベースを有し、前記ノズルアセンブリは、前記噴霧竿の一端に接続され、前記接続ベースは、前記噴霧竿の他端に接続され、しかも前記噴霧竿をフレームに固定するためのものである。ここで、前記噴霧竿は、第１竿本体、第２竿本体、及び第１竿本体と第２竿本体とを接続するフレキシブル接続部を有し、前記第２竿本体は前記ノズルアセンブリを接続し、前記フレキシブル接続部により、前記第２竿本体が、外力の作用を受けたときに前記第１竿本体に対して揺動できるようになる。この散布アセンブリにおける各部品の間の係合の具体的な構造特徴は、上述の散布アセンブリの各実施例を参照されたく、ここでは重複して説明しない。
【００６２】
本発明はさらに、新型構造の散布アセンブリ、及びそれを有する農業植物保護機を設計し、フレームに接続される噴霧竿を第１竿本体、第２竿本体、及び第１竿本体と第２竿本体との間を接続するフレキシブル接続部に分け、これにより噴霧竿全体が一定のしなやかさを持つようになり、噴霧竿が、外力の作用を受けたときに第２竿本体を第１竿本体に対して揺動させて折れないようにでき、この散布アセンブリの使用寿命を延ばすことができる。
【００６３】
本文において、第１と第２などの関係用語は、一つの実体又は操作を他の実体又は操作と区別するためのものであるに過ぎず、これらの実体又は操作の間にいずれかの実際の関係又は順序があることを求めておらず、暗示しているわけではないことを説明する必要がある。用語「含む」、「含有」又はその他のいずれかの変形は、排他的でない包括を包含することを意図しており、これにより一連の要素を含むプロセス、方法、物品若しくは設備は、これらの要素を含むだけでなく、しかも明確に列記されていないその他の要素も含み、又はこのようなプロセス、方法、物品若しくは設備に固有の要素をさらに含むようになる。さらに多くの限定がなければ、語句「一つの・・・を含む」に限定される要素は、前記要素を含むプロセス、方法、物品又は設備においてその他の同一要素がさらに存在することを排除するわけではない。
【００６４】
以上のように本発明の実施例により提供される方法、及び装置を詳細に説明し、本文において、具体的な例示を応用して本発明の原理及び実施形態を説明したが、以上の実施例の説明は、本発明の方法及びその核心となる趣旨に対する理解を助けるためのものであるに過ぎない。同時に、当業者にとって、本発明の趣旨に基づいて、具体的な実施形態及び応用範囲のいずれにも変更できる箇所においては、以上を総合すると、本明細書の内容は、本発明に対する限定と理解されるべきではない。
【００６５】
［項目１］
散布アセンブリであって、
噴霧竿、ノズルアセンブリ、及び接続ベースを有し、
前記ノズルアセンブリは、前記噴霧竿の一端に接続され、
前記接続ベースは、前記噴霧竿の他端に接続され、しかも前記噴霧竿を農業植物保護機のフレームに固定するためのものであり、
前記接続ベースは、フレキシブル接続ベースであり、これにより前記噴霧竿が、外力の作用を受けたときに前記フレームに対して揺動できるようになること、
を特徴とする、散布アセンブリ。
［項目２］
前記接続ベースは、ベース本体、及び前記ベース本体から延在する接続部を有し、
前記接続ベースは、前記接続部により前記噴霧竿に固定されること、
を特徴とする、項目１に記載の散布アセンブリ。
［項目３］
前記接続部にはロック係合孔が設けられ、前記噴霧竿には接続孔が設けられ、
前記接続部が前記噴霧竿内に取り付けられるとき、前記ロック係合孔は、前記接続孔に対応することで、接続部品により係合してロックされること、
を特徴とする、項目２に記載の散布アセンブリ。
［項目４］
前記接続部には弾性ピンが設けられ、前記噴霧竿には接続孔が設けられ、
前記接続部が前記噴霧竿に取り付けられるとき、前記弾性ピンは、前記接続部に縮んで入り、前記弾性ピンが前記接続孔に対応するとき、前記弾性ピンは、弾性力の作用で前記接続孔から突出して伸び出して、前記接続ベースを前記噴霧竿にロックすること、
を特徴とする、項目２に記載の散布アセンブリ。
［項目５］
前記接続部には接続孔が設けられ、前記噴霧竿には弾性ピンが設けられ、
前記接続部が前記噴霧竿に取り付けられるとき、前記弾性ピンは、前記噴霧竿に縮んで入り、前記弾性ピンが前記接続孔に対応するとき、前記弾性ピンは、弾性力の作用で前記接続孔から突出して伸び出して、前記接続ベースを前記噴霧竿にロックすること、
を特徴とする、項目２に記載の散布アセンブリ。
［項目６］
前記噴霧竿には前記接続部に係合して包むための複数の弾性ロックプレート、
前記弾性ロックプレートを取り囲むロックリング、及び、
前記ロックリングを締め付け、又は解放するためのボルトを有すること、
を特徴とする、項目２に記載の散布アセンブリ。
［項目７］
前記接続部は、
前記噴霧竿に係合して包むための複数の弾性ロックプレート、
前記弾性ロックプレートを取り囲むロックリング、及び、
前記ロックリングを締め付け、又は解放するためのボルトを有すること、
を特徴とする、項目２に記載の散布アセンブリ。
［項目８］
前記接続部は、接着層により前記噴霧竿に固定されること、
を特徴とする、項目２に記載の散布アセンブリ。
［項目９］
前記ベース本体には取り付け孔が設けられ、前記接続ベースは、接続部品が前記取り付け孔に係合することで、前記接続ベースを前記フレームに固定することを特徴とする、項目２に記載の散布アセンブリ。
［項目１０］
前記ベース本体は、接着層により前記フレームに固定されることを特徴とする、項目２に記載の散布アセンブリ。
［項目１１］
前記散布アセンブリは、前記接続ベースにより前記農業植物保護機のアーム下方に固定されることを特徴とする、項目１に記載の散布アセンブリ。
［項目１２］
前記接続ベースは、ＮＢＲ、ＥＰＤＭ、ＦＰＭのうちの１種又は複数種の組み合わせから製造されることを特徴とする、項目１に記載の散布アセンブリ。
［項目１３］
前記噴霧竿には取水口、及び前記取水口箇所に設けられた装着部が設けられ、前記装着部は、前記農業植物保護機のタンクに連通する接続ホースを取り付けるためのものであることを特徴とする、項目１に記載の散布アセンブリ。
［項目１４］
前記噴霧竿内には前記取水口と前記ノズルアセンブリとの間に連通される水流通路が設けられることを特徴とする、項目１３に記載の散布アセンブリ。
［項目１５］
前記ノズルアセンブリは、ノズル本体、ノズル本体に設けられたノズル、及び前記ノズル本体に装着された減圧調節部品を有し、前記減圧調節部品は、前記ノズルの噴水量を調節するためのものであることを特徴とする、項目１に記載の散布アセンブリ。
［項目１６］
前記ノズル本体には係合部品、前記係合部品を取り囲むロックリング、及び前記ロックリングに係合するボルトが設けられ、
前記噴霧竿には前記係合部品に係合して包むための少なくとも二つの弾性ロックプレートが設けられ、
前記弾性ロックプレートが前記係合部品と前記ロックリングとの間に取り付けられるとき、ボルトを締め付けることにより、前記ノズル本体を前記噴霧竿に固定し、又は、前記ボルトを解放することにより、前記ノズル本体を前記噴霧竿から取り外すこと、
を特徴とする、項目１５に記載の散布アセンブリ。
［項目１７］
散布アセンブリであって、
噴霧竿、ノズルアセンブリ、及び接続ベースを有し、
前記ノズルアセンブリは、前記噴霧竿の一端に接続され、
前記接続ベースは、前記噴霧竿の他端に接続され、しかも前記噴霧竿を農業植物保護機のフレームに固定するためのものであり、
前記噴霧竿は、第１竿本体、第２竿本体、及び第１竿本体と第２竿本体とを接続するフレキシブル接続部を有し、
前記第２竿本体は、前記ノズルアセンブリを接続し、
前記フレキシブル接続部により、前記第２竿本体が、外力の作用を受けたときに前記第１竿本体に対して揺動できるようになること、
を特徴とする、散布アセンブリ。
［項目１８］
前記フレキシブル接続部にはロック係合孔が設けられ、
前記第１竿本体及び前記第２竿本体には接続孔がそれぞれ設けられ、
前記フレキシブル接続部が前記第１竿本体及び前記第２竿本体に取り付けられるとき、前記ロック係合孔は、前記接続孔に対応することで、接続部品により係合してロックされること、
を特徴とする、項目１７に記載の散布アセンブリ。
［項目１９］
前記フレキシブル接続部の両端には弾性ピンがそれぞれ設けられ、前記第１竿本体及び前記第２竿本体には接続孔がそれぞれ設けられ、
前記フレキシブル接続部が、前記第１竿本体及び前記第２竿本体に取り付けられるとき、前記弾性ピンは、前記フレキシブル接続部に縮んで入り、前記弾性ピンが前記接続孔に対応するとき、前記弾性ピンは、弾性力の作用で前記接続孔から突出して伸び出して、前記フレキシブル接続部を前記第１竿本体及び前記第２竿本体にロックすること、
を特徴とする、項目１７に記載の散布アセンブリ。
［項目２０］
前記フレキシブル接続部の両端には接続孔がそれぞれ設けられ、前記第１竿本体及び前記第２竿本体には弾性ピンがそれぞれ設けられ、
前記フレキシブル接続部が前記第１竿本体及び前記第２竿本体に取り付けられるとき、前記第１竿本体の弾性ピンは、前記第１竿本体に縮んで入り、前記第２竿本体の弾性ピンは、前記第２竿本体に縮んで入り、前記弾性ピンが、前記接続孔に対応するとき、前記弾性ピンは、弾性力の作用で前記接続孔から突出して伸び出して、前記フレキシブル接続部を前記第１竿本体及び前記第２竿本体にそれぞれロックすること、
を特徴とする、項目１７に記載の散布アセンブリ。
［項目２１］
前記第１竿本体及び前記第２竿本体には、前記フレキシブル接続部に係合して包むための複数の弾性ロックプレート、前記弾性ロックプレートを取り囲むロックリング、及び前記ロックリングを締め付け、又は解放するためのボルトをそれぞれ有することを特徴とする、項目１７に記載の散布アセンブリ。
［項目２２］
前記フレキシブル接続部は、接着層により前記第１竿本体及び前記第２竿本体にそれぞれ固定されることを特徴とする、項目１７に記載の散布アセンブリ。
［項目２３］
前記接続ベースには取り付け孔が設けられ、前記接続ベースは、接続部品が前記取り付け孔に係合することで、前記接続ベースを前記フレームに固定することを特徴とする、項目１７に記載の散布アセンブリ。
［項目２４］
前記接続ベースは、接着層により前記フレームに固定されることを特徴とする、項目１７に記載の散布アセンブリ。
［項目２５］
前記散布アセンブリは、前記接続ベースにより前記農業植物保護機のアーム下方に固定されることを特徴とする、項目１７に記載の散布アセンブリ。
［項目２６］
前記フレキシブル接続部は、ＮＢＲ、ＥＰＤＭ、ＦＰＭのうちの１種又は複数種の組み合わせから製造されることを特徴とする、項目１７に記載の散布アセンブリ。
［項目２７］
前記噴霧竿には取水口、及び前記取水口箇所に設けられた装着部が設けられ、前記装着部は、前記農業植物保護機のタンクに連通する接続ホースを取り付けるためのものであることを特徴とする、項目１７に記載の散布アセンブリ。
［項目２８］
前記噴霧竿内には前記取水口と前記ノズルアセンブリとの間に連通される水流通路が設けられることを特徴とする、項目２７に記載の散布アセンブリ。
［項目２９］
前記ノズルアセンブリは、ノズル本体、ノズル本体に設けられたノズル、及び前記ノズル本体に装着された減圧調節部品を有し、前記減圧調節部品は、前記ノズルの噴水量を調節するためのものであることを特徴とする、項目１７に記載の散布アセンブリ。
［項目３０］
前記ノズル本体には係合部品、前記係合部品を取り囲むロックリング、及び前記ロックリングに係合するボルトが設けられ、
前記噴霧竿には前記係合部品に係合して包むための少なくとも二つの弾性ロックプレートが設けられ、
前記弾性ロックプレートが前記係合部品と前記ロックリングとの間に取り付けられるとき、ボルトを締め付けることにより、前記ノズル本体を前記噴霧竿に固定し、又は、前記ボルトを解放することにより、前記ノズル本体を前記噴霧竿から取り外すこと、
を特徴とする、項目２９に記載の散布アセンブリ。
［項目３１］
農業植物保護機であって、
フレーム、及びフレームに装着された散布アセンブリを有し、
前記散布アセンブリは、噴霧竿、ノズルアセンブリ、及び接続ベースを有し、
前記ノズルアセンブリは、前記噴霧竿の一端に接続され、
前記接続ベースは、前記噴霧竿の他端に接続され、しかも前記噴霧竿を前記フレームに固定するためのものであり、
前記接続ベースは、フレキシブル接続ベースであり、これにより前記噴霧竿が、外力の作用を受けたときに前記フレームに対して揺動できるようになること、
を特徴とする、農業植物保護機。
［項目３２］
前記接続ベースは、ベース本体、及び前記ベース本体から延在する接続部を有し、前記接続ベースは、前記接続部により前記噴霧竿に固定されることを特徴とする、項目３１に記載の農業植物保護機。
［項目３３］
前記接続部にはロック係合孔が設けられ、前記噴霧竿には接続孔が設けられ、
前記接続部が前記噴霧竿内に取り付けられるとき、前記ロック係合孔は、前記接続孔に対応することで、接続部品により係合してロックされることを特徴とする、項目３２に記載の農業植物保護機。
［項目３４］
前記接続部には弾性ピンが設けられ、前記噴霧竿には接続孔が設けられ、
前記接続部が前記噴霧竿に取り付けられるとき、前記弾性ピンは、前記接続部に縮んで入り、前記弾性ピンが前記接続孔に対応するとき、前記弾性ピンは、弾性力の作用で前記接続孔から突出して伸び出して、前記接続ベースを前記噴霧竿にロックすることを特徴とする、項目３２に記載の農業植物保護機。
［項目３５］
前記接続部には接続孔が設けられ、前記噴霧竿には弾性ピンが設けられ、
前記接続部が前記噴霧竿に取り付けられるとき、前記弾性ピンは、前記噴霧竿に縮んで入り、前記弾性ピンが前記接続孔に対応するとき、前記弾性ピンは、弾性力の作用で前記接続孔から突出して伸び出して、前記接続ベースを前記噴霧竿にロックすることを特徴とする、項目３２に記載の農業植物保護機。
［項目３６］
前記噴霧竿は、前記接続部に係合して包むための複数の弾性ロックプレート、前記弾性ロックプレートを取り囲むロックリング、及び前記ロックリングを締め付け、又は解放するためのボルトを有することを特徴とする、項目３２に記載の農業植物保護機。
［項目３７］
前記接続部は、前記噴霧竿に係合して包むための複数の弾性ロックプレート、前記弾性ロックプレートを取り囲むロックリング、及び前記ロックリングを締め付け、又は解放するためのボルトを有することを特徴とする、項目３２に記載の農業植物保護機。
［項目３８］
前記接続部は、接着層により前記噴霧竿に固定されることを特徴とする、項目３２に記載の農業植物保護機。
［項目３９］
前記ベース本体には取り付け孔が設けられ、前記接続ベースは、接続部品が前記取り付け孔に係合することで、前記接続ベースを前記フレームに固定することを特徴とする、項目３２に記載の農業植物保護機。
［項目４０］
前記ベース本体は、接着層により前記フレームに固定されることを特徴とする、項目３２に記載の農業植物保護機。
［項目４１］
前記フレームは、本体、及び前記本体に接続される複数のアームを有し、前記散布アセンブリは、アーム下方に装着されることを特徴とする、項目３１に記載の農業植物保護機。
［項目４２］
前記接続ベースは、ＮＢＲ、ＥＰＤＭ、ＦＰＭのうちの１種又は複数種の組み合わせから製造されることを特徴とする、項目３１に記載の農業植物保護機。
［項目４３］
前記噴霧竿には取水口、及び前記取水口箇所に設けられた装着部が設けられ、前記装着部は、前記農業植物保護機のタンクに連通する接続ホースを取り付けるためのものであることを特徴とする、項目３１に記載の農業植物保護機。
［項目４４］
前記噴霧竿内には前記取水口と前記ノズルアセンブリとの間に連通される水流通路が設けられることを特徴とする、項目４３に記載の農業植物保護機。
［項目４５］
前記ノズルアセンブリは、ノズル本体、ノズル本体に設けられたノズル、及び前記ノズル本体に装着された減圧調節部品を有し、前記減圧調節部品は、前記ノズルの噴水量を調節するためのものであることを特徴とする、項目３１に記載の農業植物保護機。
［項目４６］
前記ノズル本体には係合部品、前記係合部品を取り囲むロックリング、及び前記ロックリングに係合するボルトが設けられ、
前記噴霧竿には前記係合部品に係合して包むための少なくとも二つの弾性ロックプレートが設けられ、
前記弾性ロックプレートが前記係合部品と前記ロックリングとの間に取り付けられるとき、ボルトを締め付けることにより、前記ノズル本体を前記噴霧竿に固定し、又は、前記ボルトを解放することにより、前記ノズル本体を前記噴霧竿から取り外すことを特徴とする、項目４５に記載の農業植物保護機。
［項目４７］
農業植物保護機であって、
フレーム、及び前記フレームに装着された散布アセンブリを有し、
前記散布アセンブリは、噴霧竿、ノズルアセンブリ、及び接続ベースを有し、
前記ノズルアセンブリは、前記噴霧竿の一端に接続され、前記接続ベースは、前記噴霧竿の他端に接続され、しかも前記噴霧竿を前記フレームに固定するためのものであり、
前記噴霧竿は、第１竿本体、第２竿本体、及び第１竿本体と第２竿本体とを接続するフレキシブル接続部を有し、前記第２竿本体は、前記ノズルアセンブリを接続し、前記フレキシブル接続部により、前記第２竿本体が、外力の作用を受けたときに前記第１竿本体に対して揺動できるようになることを特徴とする、農業植物保護機。
［項目４８］
前記フレキシブル接続部にはロック係合孔が設けられ、前記第１竿本体及び前記第２竿本体には接続孔がそれぞれ設けられ、
ここで、前記フレキシブル接続部が前記第１竿本体及び前記第２竿本体に取り付けられるとき、前記ロック係合孔は、前記接続孔に対応することで、接続部品により係合してロックされることを特徴とする、項目４７に記載の農業植物保護機。
［項目４９］
前記フレキシブル接続部の両端には弾性ピンがそれぞれ設けられ、前記第１竿本体及び前記第２竿本体には接続孔がそれぞれ設けられ、
前記フレキシブル接続部が、前記第１竿本体及び前記第２竿本体に取り付けられるとき、前記弾性ピンは、前記フレキシブル接続部に縮んで入り、前記弾性ピンが前記接続孔に対応するとき、前記弾性ピンは、弾性力の作用で前記接続孔から突出して伸び出して、前記フレキシブル接続部を前記第１竿本体及び前記第２竿本体にロックすることを特徴とする、項目４７に記載の農業植物保護機。
［項目５０］
前記フレキシブル接続部の両端には接続孔がそれぞれ設けられ、前記第１竿本体及び前記第２竿本体には弾性ピンがそれぞれ設けられ、
前記フレキシブル接続部が前記第１竿本体及び前記第２竿本体に取り付けられるとき、前記第１竿本体の弾性ピンは、前記第１竿本体に縮んで入り、前記第２竿本体の弾性ピンは、前記第２竿本体に縮んで入り、前記弾性ピンが、前記接続孔に対応するとき、前記弾性ピンは、弾性力の作用で前記接続孔から突出して伸び出して、前記フレキシブル接続部を前記第１竿本体及び前記第２竿本体にそれぞれロックすることを特徴とする、項目４７に記載の農業植物保護機。
［項目５１］
前記噴霧竿には、前記フレキシブル接続部に係合して包むための少なくとも二つの弾性ロックプレート、前記弾性ロックプレートを取り囲むロックリング、及び前記ロックリングを締め付け、又は解放するためのボルトが設けられることを特徴とする、項目４７に記載の農業植物保護機。
［項目５２］
前記フレキシブル接続部は、接着層により前記第１竿本体及び前記第２竿本体にそれぞれ固定されることを特徴とする、項目４７に記載の農業植物保護機。
［項目５３］
前記接続ベースには取り付け孔が設けられ、前記接続ベースは、接続部品が前記取り付け孔に係合することで、前記接続ベースを前記フレームに固定することを特徴とする、項目４７に記載の農業植物保護機。
［項目５４］
前記接続ベースは、接着層により前記フレームに固定されることを特徴とする、項目４７に記載の農業植物保護機。
［項目５５］
前記フレームは、本体、及び前記本体に接続される複数のアームを有し、前記散布アセンブリは、アーム下方に装着されることを特徴とする、項目４７に記載の農業植物保護機。
［項目５６］
前記フレキシブル接続部は、ＮＢＲ、ＥＰＤＭ、ＦＰＭのうちの１種又は複数種の組み合わせから製造されることを特徴とする、項目４７に記載の農業植物保護機。
［項目５７］
前記噴霧竿には取水口、及び前記取水口箇所に設けられた装着部が設けられ、前記装着部は、前記農業植物保護機のタンクに連通する接続ホースを取り付けるためのものであることを特徴とする、項目４７に記載の農業植物保護機。
［項目５８］
前記噴霧竿内には前記取水口と前記ノズルアセンブリとの間に連通される水流通路が設けられることを特徴とする、項目５７に記載の農業植物保護機。
［項目５９］
前記ノズルアセンブリは、ノズル本体、ノズル本体に設けられたノズル、及び前記ノズル本体に装着された減圧調節部品を有し、前記減圧調節部品は、前記ノズルの噴水量を調節するためのものであることを特徴とする、項目４７に記載の農業植物保護機。
［項目６０］
前記ノズル本体には係合部品、前記係合部品を取り囲むロックリング、及び前記ロックリングに係合するボルトが設けられ、
前記噴霧竿には前記係合部品に係合して包むための少なくとも二つの弾性ロックプレートが設けられ、
前記弾性ロックプレートが前記係合部品と前記ロックリングとの間に取り付けられるとき、ボルトを締め付けることにより、前記ノズル本体を前記噴霧竿に固定し、又は、前記ボルトを解放することにより、前記ノズル本体を前記噴霧竿から取り外すことを特徴とする、項目５９に記載の農業植物保護機。
【国際調査報告】
2021506290.tif 000013
2021506290.tif 000014
2021506290.tif 000015
2021506290.tif 000016